(57)【特許請求の範囲】
【請求項１】
所定個数のそれぞれ異なる選択可能な記録担体保持器を有する記録担体装置を備える系であって、記録担体に蓄積した内容に関連した知覚可能の情報を有する挿入子にそれぞれ組み合わされる複数個の記録担体を保持するのに適応し、所定個数の記録担体をローディングすることができ、記録担体を保持するために記録担体の個数に対応した個数の記録担体保持器を備え、前記記録担体装置を制御するとともに、選択可能な記録担体保持器をそれぞれ選択する選択手段を有する制御器をさらに備え、前記記録担体装置で、所定個数のそれぞれ異なる選択可能記録担体保持器のうち１個の記録担体保持器を選択できるようにした該系において、前記制御器が、前記記録担体装置に設けた記録担体保持器の個数に比例した個数がありかつ休止位置で相互に対向して配置される挿入子担体の組を備え、これら挿入子担体は、それぞれ少なくとも１個の記録担体保持器に関連して組合わされ、かつそれぞれ記録担体に関連する少なくとも１個の挿入子を保持するように構成され、また、隣接挿入子担体に対して相対的に移動可能とし、前記制御器には挿入子担体検出器を設け、この挿入子担体検出器は、互いに隣接する２個の挿入子担体のうち相対移動した挿入子担体を、隣接する２個の挿入子担体間の相対移動の結果として検出可能とし、これにより、検出した挿入子担体に関連して組合わされる記録担体保持器を選択可能にしたことを特徴とする系。
【請求項２】
選択可能な記録担体保持器に割り当てた個別の数字を、関連する前記挿入子担体にそれぞれ割り当て、前記挿入子担体検出器は、挿入子担体の数字を検出する構成とし、前記制御器は、前記挿入子担体検出器によって検出された数字を蓄積する蓄積器を備える構成としたことを特徴とする請求項１記載の系。
【請求項３】
各挿入子担体が少なくとも１枚の導電箔を備えており、挿入子担体が相互に対向している場合には、各導電箔も相互に対向して相互に絶縁され、相互に対向した挿入子担体の各導電箔が互いに容量的に結合しており、各導電箔は、導電接続を介して挿入子担体検出器に接続することができ、挿入子担体検出器は、相互に対向した２個の導電箔間の所定の容量結合の存在を検出することができ、各所定容量結合の検出結果に基づき、相互に隣接する２個の挿入子担体のうち相対移動した関連の挿入子を、互いに隣接する２個の挿入子担体間の相対移動の結果として検出可能とした請求項１または２に記載の系。
【請求項４】
挿入子担体検出器は、相対移動した互いに隣接する２個の挿入子担体の各導電箔間の容量結合の不在を検出するものとした請求項３記載の系。
【請求項５】
挿入子担体の組が挿入子担体の第１群と挿入子担体の第２群とを備え、挿入子担体の２群の一方の挿入子担体が挿入子担体の２群の他方の２挿入子担体間に間挿され、挿入子担体検出器が、挿入子担体の２群の一方の空間的に連続した挿入子担体の導電箔に時間順次に接続し得る出力端を有する交流電圧発生器、および、当該交流電圧発生器の出力端に対応して、挿入子担体の２群の他方の空間的に連続した挿入子担体の導電箔に時間順次に接続し得る入力端を有する交流電圧検出器を備えたことを特徴とする請求項３または４記載の系。
【請求項６】
交流電圧発生器が、第１入力端および第２入力端を有する相関器段を備え、第１入力端は挿入子担体の２群の他方の空間的に連続した挿入子担体の導電箔に時間順次に接続することができ、第２入力端は、挿入子担体の２群の一方の空間的に連続した挿入子担体の導電箔に出力端を時間順次に接続し得る交流電圧発生器の出力端に接続されることを特徴とする請求項５記載の系。
【請求項７】
各挿入子担体が導電材料の隣接２トラックの少なくとも１対を備え、相互に相対的に動いた隣接２挿入子担体のうち、組合わせた挿入子が隣接２挿入子担体の相互の相対的動きの結果として知覚可能になる挿入子担体上の対の隣接２トラックは、少なくとも１端の表皮抵抗を介して少なくとも１指で触れることにより相互接続することができ、挿入子担体検出器が、挿入子担体上の対の隣接２トラック間の抵抗の存在を検出するのに適応して、各検出結果に基づき、相互に相対的に動いた隣接２挿入子担体のうち、組合わせた挿入子が隣接２挿入子担体の相互に相対的に動いた結果として知覚可能になる挿入子担体を検出することを特徴とする請求項１または２記載の系。
【請求項８】
挿入子担体検出器の、第１検出動作およびさらに引き続く第２検出動作における挿入子担体上の隣接トラック間の抵抗の値を検出して、２検出動作で検出した抵抗値間の差を決定するのに適応し、このようにして決定した差に基づき、相互に相対的に動いた隣接２挿入子担体のうち、組合わせた挿入子が隣接２挿入子担体相互の相対的な動きの結果として知覚可能となる挿入子担体を検出することを特徴とする請求項７記載の系。
【請求項９】
挿入子担体上の対の隣接２トラック間の抵抗の存在を検出するための挿入子担体検出器が制御可能の切換器を介して充電可能のキャパシタを含む回路を備え、挿入子担体上の対の隣接２トラックが、それぞれ、キャパシタを放電させるために、制御可能の切換器を介し、所定放電電圧に達したことを検出する電圧レベル検出器に接続した当該キャパシタの２端子の一つに接続可能であり、制御可能の切換器、および、当該切換器を制御するとともにキャパシタの放電開始時点とキャパシタ両端の所定放電電圧達成時点との間の時間間隔を決定するための電圧レベル検出器と協働するマイクロコンピュータが設けられ、当該マイクロコンピュータが、このようにして決定した時間間隔から、挿入子担体上の対の隣接２トラック間の抵抗の存在を検出し、その検出結果に基づき、相互に相対的に動いた隣接２挿入子担体のうち、組合わせた挿入子が隣接２挿入子担体相互の相対的動きの結果として知覚可能となる挿入子担体を検出することを特徴とする請求項６または７記載の系。
【請求項１０】
制御器が挿入子担体の組を集積した遠隔制御器であることを特徴とする請求項１〜９のうちのいずれかに記載の系。
【請求項１１】
挿入子担体の組の各挿入子担体が少なくとも１枚の挿入子を導入し得る透明材料の袖からなることを特徴とする請求項１〜１０のうちのいずれかに記載の系。
【請求項１２】
所定個数のそれぞれ異なる選択可能な記録担体保持器を有する提示装置を備える系のための制御器であって、該系は、記録担体に蓄積した内容に関連した知覚可能の情報を有する挿入子にそれぞれ組み合わされる複数個の記録担体を保持しうるものとし、また該系は、前記提示装置として、所定個数の記録担体をローディングすることができ、記録担体を保持するために記録担体の個数に対応した個数の記録担体保持器を設けた記録担体装置として備え、前記記録担体装置で、前記所定個数のそれぞれ異なる選択可能な記録担体保持器のうち１個の選択可能記録担体保持器を選択できるようにし、前記記録担体装置を制御するための前記制御器に、各選択可能記録担体保持器を選択するための選択手段を設けた該制御器において、この制御器が、前記記録担体装置に設けた記録担体保持器の個数に比例した個数がありかつ休止位置で相互に対向して配置される挿入子担体の組を備え、これら挿入子担体は、それぞれ少なくとも１個の記録担体保持器に関連して組合わされ、かつそれぞれ記録担体に関連する少なくとも１個の挿入子を保持するように構成され、また、隣接挿入子担体に対して相対的に移動可能とし、前記制御器には挿入子担体検出器を設け、この挿入子担体検出器は、互いに隣接する２個の挿入子担体のうち相対移動した挿入子担体を、隣接する２個の挿入子担体間の相対移動の結果として検出可能とし、これにより、検出した挿入子担体に関連して組合わされる記録担体保持器を選択可能にしたことを特徴とする制御器。
【請求項１３】
選択可能な記録担体保持器に割り当てた個別の数字を、関連する前記挿入子担体にそれぞれ割り当て、前記挿入子担体検出器は、挿入子担体の数字を検出する構成とし、前記制御器は、前記挿入子担体検出器によって検出された数字を蓄積する蓄積器を備える構成としたことを特徴とする請求項１２記載の制御器。
【請求項１４】
各挿入子担体が少なくとも１枚の導電箔を備えており、挿入子担体群が相互に対向している場合には、導電箔も相互に対向して相互に絶縁され、相互に対向した挿入子担体の導電箔が容量的に相互に結合し、各導電箔を導電接続を介して挿入子担体に接続することができ、挿入子担体検出器が、相互に対向した２導電箔間の所定の容量結合の存在を検出するのに適応して、各検出結果に基づき、相互に相対的に動いた隣接２挿入子担体のうち、結合させた挿入子が隣接２挿入子担体相互の相対的動きの結果として知覚可能になる挿入子担体を検出することを特徴とする請求項１２または１３に記載の制御器。
【請求項１５】
挿入子担体検出器が、相互に相対的に動いた隣接２挿入子担体の導電箔間の容量結合の不在を検出するのに適応していることを特徴とする請求項１４記載の制御器。
【請求項１６】
挿入子担体の組が挿入子担体の第１群および挿入子担体の第２群を備え、挿入子担体の２群の一方の挿入子担体が挿入子担体の２群の他方の隣接２挿入子
担体間に間挿され、挿入子担体検出器が、挿入子担体の２群の一方の空間的に連続した挿入子担体の導電箔に時間順次に接続し得る出力端を有する交流電圧発生器、および、交流電圧発生器の出力端に対向して、挿入子担体の２群の他方の空間的に連続した挿入子担体の導電箔に時間順次に接続し得る入力端を有する交流電圧検出器を備えたことを特徴とする請求項１４または１５記載の制御器。
【請求項１７】
交流電圧検出器が第１入力端および第２入力端を有する相関器段を備え、第１入力端は、挿入子担体の２群の他方の空間的に連続した導電箔に時間順次に接続することができ、第２入力端は、挿入子担体の２群の一方の空間的に連続した挿入子担体の導電箔に時間順次に接続し得る交流電圧発生器の出力端に接続することを特徴とする請求項１６記載の制御器。
【請求項１８】
各挿入子担体が、少なくとも１対の導電材料の隣接２トラックを備え、相互に相対的に動いた隣接２挿入子担体のうち、組合わせた挿入子が、隣接２挿入子担体相互の相対的動きの結果として知覚可能になる挿入子担体上の対の隣接２トラックが、少なくとも１指の表皮抵抗を介し、当該少なくとも１指で触れることにより相互接続することができ、各トラックが、導電接続を介して挿入子担体検出器に接続可能であり、挿入子担体検出器が、挿入子担体上の対の隣接２トラック間の抵抗の存在を検出するのに適応するとともに、各検査結果に基づき、相互に相対的に動いた隣接２挿入子担体のうち、組合わせた挿入体が隣接２挿入子担体相互の相対的な動きの結果として知覚可能になる挿入子担体を検出することを特徴とする請求項１２または１３に記載の制御器。
【請求項１９】
挿入子担体検出器が、第１検出動作およびさらに引き続く第２検出動作で挿入子担体上の対の隣接２トラック間の抵抗の値を検出するとともに、２検出動作で検出した抵抗値の差を決定するのに適応し、このようにして決定した差に基づき、相互に相対的に動いた隣接２挿入子担体のうち、組合わせた挿入子が、隣接２挿入子担体相互の相対的な動きの結果として知覚可能になる挿入子担体を検出することを特徴とする請求項１８記載の系。
【請求項２０】
挿入子担体上の対の隣接２トラック間の抵抗の存在を検出するための挿入子担体検出器が、制御可能の切換器を介して充電可能のキャパシタを含む回路を備え、挿入子担体上の対の隣接トラックが、それぞれ、キャパシタを放電させるために、制御可能の切換器を介して当該キャパシタの２端子の一方に接続可能にするとともに、当該端子を、所定の放電電圧に到達したことを検出し得るようにする電圧レベル検出器に接続し、制御可能の切換器および電圧レベル検出器と協働して当該切換器を制御するとともに、キャパシタの放電開始時点とキャパシタ両端の所定放電電圧到達時点との間の時間間隔を決定するマイクロコンピュータを設けておき、当該マイクロコンピュータが、このようにして決定した時間間隔から、挿入子担体上の対の隣接２トラック間の抵抗の存在を検出するとともに、その検出結果に基づき、相互に相対的に動いた隣接２挿入子担体のうち、組合わせた挿入子が隣接２挿入子担体相互の相対的な動きの結果として知覚可能になる挿入子担体を検出することを特徴とする請求項１８または１９記載の系。
【請求項２１】
平坦な挿入子担体の組を集積した遠隔制御器として構成したことを特徴とする請求項１２〜２０のうちいずれかに記載の制御器。
【請求項２２】
挿入子担体の組の平坦な各挿入子担体を、少なくとも１個の挿入子を導入し得る透明材料の袖により形成したことを特徴とする請求項１２〜２１のうちいずれかに記載の制御器。
【発明の詳細な説明】
本発明は、所定個数の異種選択可能項目中の選択可能項目を選択し得る提示装置および選択可能項目を選択するための選択手段を含む提示装置制御用制御器を備えた系に関するものである。
本発明は、さらに、所定個数の異種選択可能項目中の一選択可能項目を選択することができ、選択可能項目を選択するための選択手段を含む、提示装置を備えた系のための制御器に関するものである。
第１節に規定した種類の系および第２節に規定した種類の制御器は、例えば、文書ＥＰ−Ａ０２６２９５４から知られている。この文書には、第２欄、第４８頁乃至第５７頁を参照してＣＤ交換機と呼ぶ装置よりなる提示装置を制御するための、遠隔制御器として構成した制御器が記載されている。この周知の系の周知の制御器は６個のキーを有して、系の提示装置を形成する装置におけるＣＤ保持器の系の６個の選択可能項目のいずれか一つおよびその中に保持したＣＤの一つを選択し得るが、数字の形の同じ符号が６個のキーおよび選択可能項目を形成する６個のＣＤ保持器にそれぞれ割当てられている。選択可能項目を形成するＣＤ保持器内の所望のＣＤを選択するには、そのＣＤに蓄積した情報を再生するために、この系の使用者は、制御器のいずれのキーにより、所望のＣＤが位置するＣＤ保持器を選択し得るかを知らねばならない。その目的で、使用者は、所定数をそれぞれ付したキーに関し、同じ番号を付したＣＤ保持器内に位置するＣＤの見出しを特定するための通常は手書きのカタログ様リストを屡々作成するが、その保持器の内容がそのキーによって選択し得る項目を形成することになる。所定番号を付したＣＤ保持器内の所望のＣＤを選択するには、使用者は、まず、所望のＣＤ用の同一番号を付して組合わせたキーを決定するために、自分が作成したリストを参照しなければならず、今度は、関連したＣＤを演奏器に移すために、関連したキーを引き続き操作して、その系の装置において選択可能項目を形成する関連したＣＤ保持器を選択する。
かかるリストの作成が、多数のＣＤを保有して、望む折りに演奏するこの装置の使用者に、不便で具合悪く思われており、したがって、装置内のＣＤを最少で１枚程度入れ替えた場合に、屡々、ＣＤのリストの更新が省略されることが判っているが、このことは、明らかに、非更新の、したがって、正しくないリストが、系の装置内に以前に保持したＣＤに組合わされたキーを指示するが、そのキーの操作によっては、取り替え後にその所定のＣＤ保持器内に位置するＣＤが選択されて演奏されるのであるから、誤動作を惹き起こすことになる。
本発明の目的は、ＣＤ交換機の形態の提示装置を含む周知の系について以上に述べた問題を解決し、第１節に規定した種類の系および第２節に規定した種類の制御器を改良して簡単に適応させ、提示装置内で多数の項目、例えば約１００項目を選択し得る場合でも、提示装置内の所望の選択可能項目を簡単に選択し得るようにすることにある。本発明の他の目的は、展示装置内の選択可能項目を交換する際に、比較的高い確率をもって、その交換を考慮することにある。そのうえに、所定の符号を付したキーとそのキーに組合わせた選択可能項目との間の関係について手書きのリストを作成せずに、かかる目的を達成すべきである。
本発明によれば、第１節に規定した種類の系における上述した問題を解決するために、前記制御器が、休止位置では互いに対向し、選択可能項目に組合わせた少なくとも１個の挿入子を保持するように構成され、関連した選択可能項目に関する知覚可能の情報を備えて、隣接挿入子担体に対しそれぞれ相対的に動き可能の前記提示装置で選択可能の項目の個数に比例した個数の挿入子担体、特に平坦な挿入子担体を備えるとともに、相互に相対的に動いた隣接２挿入子担体のうち、組合わせた挿入子が隣接２挿入子担体の相対的動きの結果として知覚可能であり、検出した挿入子担体に組合わせた選択可能項目が選択可能となる挿入子担体を検出するように構成された挿入子担体検出器を含んでいる。
本発明のかかる各段階によれば、本発明による系の提示装置における各選択可能項目に対し、その項目に組合わせた挿入子をその選択可能項目に組合わせた平坦な挿入子担体に結び付け得るようになり、したがって、組合わせた挿入子を制御器の適切な挿入子担体に結び付けてしまった後に、実際に、挿入子群のカタログが制御器内に得られ、その挿入子群は、例えば、組合わされた選択可能項目に関する情報を含んでおり、その情報は、視覚的乃至触覚的に感知されたものであって、例えば挿入子群上に設けた触覚情報の通覧乃至走査により、使用者が選択したい項目に組合わされた挿入子の発見を極めて容易にする。所望の挿入子が発見された後は、挿入子担体検出器が、使用者によって選択されるべき項目の挿入子が結び付けられる挿入子担体の検出を可能にし、挿入子担体検出器によって、本発明による系の提示装置内でこのようにして検出した挿入子担体に組合わされた項目の選択が可能となり、その選択自体は従来周知のようにして行なわれる。
組合わせた記録担体に蓄積した内容に関連した知覚可能の情報を備えて組合わせた挿入子にそれぞれ結合した複数個の記録担体を保持するのに適応し、所定個数の記録担体を負荷することができ、記録担体を保持するために記録担体の個数に対応した個数の記録担体保持器を備え、当該装置を制御するのに適応するとともに、選択可能項目を形成する記録担体保持器をそれぞれ選択するために選択手段を備えた制御器をさらに備えた装置を提示装置として備えた本発明による系の好適例は、前記制御器が、休止位置で相互に対向し、それぞれ少なくとも１個の記録担体保持器に組合わされ、記録担体に組合わせた少なくとも１個の挿入子を保持するように構成され、隣接挿入子担体に対して相対的に可動の、当該装置に設けた記録担体保持器の個数に比例した個数の１組の挿入子担体を備えるとともに、相互に相対的に動いた隣接２挿入子担体のうち、組合わせた挿入子が隣接２挿入子担体の相対的動きの結果として知覚可能であり、検出した挿入子担体に組合わせた記録担体保持器が選択可能となる挿入子担体を検出するように構成した挿入子担体検出器を含んでいることを特徴とする。本発明による系のこの例により、選択可能項目を形成する記録担体保持器内に記録担体が導入された場合には、その記録担体に結合して組合わされた挿入子をその所定の記録担体保持器に組合わせた平坦な挿入子担体に結び付け得るようになり、したがって、多数の記録担体の選択可能項目を形成する適切な記録担体保持器への挿入および組合わせた挿入子の制御器における適切な挿入子担体との対応した結び付きの後は、実際に、挿入子群のカタログが制御器内で得られ、そのカタログにより、好ましくはそのカタログの通覧により、使用者が演奏、取り替え、再記録などをしたいと思う記録担体に組合わせた挿入子の発見が極めて容易になる。所望の挿入子が発見された後は、挿入子担体検出器が、演奏、再生、再記録などを使用者が望む記録担体の挿入子を結び付けるべき挿入子担体の自動的決定を可能にし、挿入子担体検出器により、提示装置を形成する装置において選択可能項目を形成するとともに、このようにして検出した挿入子担体と組合わされる記録担体保持器の選択を可能にするが、その選択自体は従来周知のようにして行なわれる。
本発明による系の好適例は、当該系の提示装置が、レストランや同様の事業で利用可能の所定個数の異種メニューのうちの一つのメニューを選択して発注し、選択可能項目を形成するためのメニュー発注器であり、当該系が、メニュー発注器を制御するのに適応して選択可能項目を形成するメニューをそれぞれ選択する選択手段を含む制御器をさらに備え、当該制御器が、それぞれ少なくとも一つのメニューに組合わされ、メニューに組合わされて組合わせたメニューに関連した知覚可能の情報を備えた少なくとも一つの挿入子を保持するように構成され、それぞれ隣接挿入子担体に対して可動の、メニュー発注器で選択、発注し得るメニューの個数に比例した個数の１組の（平坦な）挿入子担体を備えるとともに、相互に相対的に動いた隣接２挿入子担体のうち、組合わせた挿入子が隣接２挿入子担体の相対的動きの結果として知覚可能であり、検出した挿入子担体に組合わせたメニューが選択可能となる挿入子担体を検出するように構成した挿入子担体検出器を含んでいることを特徴とする。本発明による系のこの例によれば、例えば視覚的に知覚可能な像や選択可能なメニューや料理などの知覚可能の情報を備えた挿入子群のカタログが作成されるようになり、かかるカタログにより、例えば、そのカタログの通覧やそのカタログにおける挿入子群の走査により、レストランの客が望むメニューに組合わされて選択可能の項目を形成する知覚可能の情報を備えた挿入子の発見が極めて容易となり、その後は、挿入子担体検出器により、所望のメニューに組合わせた知覚可能の情報を備えた挿入子を結び付ける挿入子担体が決定され、その後は、最後に、挿入子担体検出器により、このようにして検出した挿入子担体に組合わされたメニューが、提示装置を形成するメニュー発注器で選択される。
本発明による系のさらに他の好適例は、当該系の提示装置が、選択可能項目を形成するとともに当該電話番号出力器に蓄積した所定個数の異なる電話番号のうちの一つの電話番号を選択して出力するための電話番号出力器であり、当該系が、電話番号出力器を制御するのに適応して、選択可能項目を形成する電話番号をそれぞれ選択するための選択手段を含む制御器をさらに備え、当該制御器が、休止位置では相互に対向し、少なくとも一つの電話番号にそれぞれ組合わされて、少なくとも一つの挿入子を保持するように構成され、組合わせた電話番号に関連した知覚可能の情報を備え、隣接挿入子担体に対してそれぞれ相対的に可動の、電話番号出力器で選択、出力可能の電話番号の個数に比例した個数の１組の（平坦な）挿入子担体を備えるとともに、相互に相対的に動いた隣接２挿入子担体のうち、組合わせた挿入子が隣接２挿入子担体の相対的動きの結果として知覚可能であり、検出した挿入子担体に組合わせた電話番号が選択可能となる挿入子担体を検出するように構成した挿入子担体検出器を含んでいることを特徴とする。本発明による系のこの例においては、例えば視覚的に知覚可能の電話加入者の氏名、住所や写真のような選択可能の電話番号の知覚可能な情報を備えた挿入子群のカタログが作成され、そのカタログにより、例えばそのカタログ内の挿入子群の通覧もしくは走査により、加入者が望む電話番号に組合わされて選択可能の項目を形成する知覚可能の情報を備えた挿入子の発見が極めて容易となり、その後は、挿入子担体検出器により、所望の電話番号に組合わされた知覚可能の情報を備えた挿入子を結び付ける挿入子担体が決定され、その後は、最後に、挿入子担体検出器により、このようにして決定された挿入子担体に組合わされた電話番号が選択される。
本発明による上述の系においては、選択可能項目に割当てた符号に対応する符号を各挿入子担体に割当てた場合に有利であることが判るが、これは、挿入子担体の簡単な追跡および検出と選択可能な項目の正しい選択とに有利である。
挿入子担体に割当てた符号は、文字や記号となし得る。しかしながら、各挿入子担体に割当てた符号が数字である場合に、特に有利であることが判っており、これには、挿入子担体群の整然とした追跡および検出が可能となる利点がある。
符号を付した挿入子担体に関して、本発明による系の極めて有利な例は、挿入子担体検出器が挿入子担体の符号の検出に適応していることを特徴とする。その結果、符号の検出により、挿入子担体の追跡および検出が簡単になる。
この点においては、制御器が、挿入子検出器によって検出した符号を蓄積するための蓄積器を備えた場合に極めて有利であることが判っており、その結果、確実に、挿入子担体検出器によって決まった符号は、失われず、望むならば、制御器から提示装置への複数個の伝送に利用し得るという利点を有している。
本発明による系においては、各挿入子担体を平坦なコイルに接続することができ、挿入子担体も対向している場合には平坦なコイルを対向させて相互に絶縁し、隣接２挿入子担体のコイル間に誘導結合を存在させ、挿入子担体検出器を２平坦コイル間の誘導結合の存在の検出に適応させ、関連した検出結果に基づき、相互に相対的に動いた隣接２挿入子担体のうち、組合わせた挿入子が隣接２挿入子担体相互の相対的動きの結果として知覚可能になった挿入子担体を検出する。しかしながら、各挿入子担体が少なくとも１枚の導電箔を備えており、挿入子担体が相互に対向している場合には、各導電箔も相互に対向して相互に絶縁され、相互に対向した挿入子担体の各導電箔が互いに容量的に結合しており、各導電箔は、導電接続を介して挿入子担体検出器に接続することができ、挿入子担体検出器が、相互に対向した２導電箔間の所定の容量結合の存在を検出するのに適応して、各検出結果に基づき、相互に相対的に動いた隣接２挿入子担体のうち、組合わせた挿入子が、隣接２挿入子担体の相対的動きの結果として知覚可能となる挿入子担体を検出する場合には、本発明による系において極めて有利であることが判っており、かかる実施例が最高の検出信頼度と簡単な構成との点で極めて有利であることが判っている。
本発明による上述の系においては、挿入子担体検出器が、相互に相対的に動いた隣接２挿入子担体の各導電箔間の容量結合の不在を検出するのに適応している場合に、極めて有利であることが判っており、かかる実施例は、極めて高い検出信頼度を極めて簡単な態様で提供するので、実際に極めて好都合であることが判っている。
所定の容量結合の検出に適応した挿入子担体検出器を備えた制御器を有する系においては、挿入子担体の組が挿入子担体の第１群と挿入子担体の第２群とを備え、挿入子担体の２群の一方の挿入子担体が挿入子担体の２群の他方の２挿入子担体間に間挿され、挿入子担体検出器が、挿入子担体の２群の一方の空間的に連続した挿入子担体の導電箔に時間順次に接続し得る出力端を有する交流電圧発生器、および、当該交流電圧発生器の出力端に対応して、挿入子担体の２群の他方の空間的に連続した挿入子担体の導電箔に時間順次に接続し得る入力端を有する交流電圧検出器を備えた場合に、極めて有利であることが判っており、このことは、論理過程で進行する高度に統計的な検出処理にとって好都合である。
交流電圧検出器の構成に対しては、交流電圧発生器が、第１入力端および第２入力端を有する相関器段を備え、第１入力端は挿入子担体の２群の他方の空間的に連続した挿入子担体の導電箔に時間順次に接続することができ、第２入力端は、挿入子担体の２群の一方の空間的に連続した挿入子担体の導電箔に出力端を時間順次に接続し得る交流電圧発生器の出力端に接続される場合に、極めて有利であることが判っており、かかる構成は、単一の排他的オアゲート（ＸＯＲゲート）などにより極めて簡単に実現され、その簡単さに拘わりなく高い検出信頼度を提供する。
本発明による系においては、各挿入子担体が導電材料の隣接２トラックの少なくとも１対を備え、相互に相対的に動いた隣接２挿入子担体のうち、組合わせた挿入子が隣接２挿入子担体の相互の相対的動きの結果として知覚可能になる挿入子担体上の対の隣接２トラックは、少なくとも１端の表皮抵抗を介して少なくとも１指で触れることにより相互接続することができ、挿入子担体検出器が、挿入子担体上の対の隣接２トラック間の抵抗の存在を検出するのに適応して、各検出結果に基づき、相互に相対的に動いた隣接２挿入子担体のうち、組合わせた挿入子が隣接２挿入子担体の相互に相対的に動いた結果として知覚可能になる挿入子担体を検出する場合にも、極めて有利であることが判っている。かかる実施例は、構成が簡単であるという利点を有している他の利点として、挿入子担体検出器による挿入子担体の検出に対し、使用者は、挿入子担体上に設けた並置トラック群中の対の２トラックに少なくとも１本の指で故意に触れなければならず、挿入子担体上の２トラックへのかかる故意の接触により、その挿入子担体に組合わされた選択可能項目の選択の初期化が付加的に可能になり、これは、操作が簡単な点で有利である。
以上に記載したように構成した本発明による系においては、挿入子担体検出器の、第１検出動作およびさらに引き続く第２検出動作における挿入子担体上の隣接トラック間の抵抗の値を検出して、２検出動作で検出した抵抗値間の差を決定するのに適応し、このようにして決定した差に基づき、相互に相対的に動いた隣接２挿入子担体のうち、組合わせた挿入子が隣接２挿入子担体相互の相対的な動きの結果として知覚可能となる挿入子担体を検出する場合に、極めて有利であることが判っており、これは、抵抗の値の検出がその抵抗の絶対値には無関係である、という利点を有している。
挿入子担体上の対の隣接２トラック間の抵抗の存在の検出に適応した挿入子担体検出器を備えた制御器を含む本発明による系においては、挿入子担体上の対の隣接２トラック間の抵抗の存在を検出するための挿入子担体検出器が制御可能の切換器を介して充電可能のキャパシタを含む回路を備え、挿入子担体上の対の隣接２トラックが、それぞれ、キャパシタを放電させるために、制御可能の切換器を介し、所定放電電圧に達したことを検出する電圧レベル検出器に接続した当該キャパシタの２端子の一つに接続可能であり、制御可能の切換器、および、当該切換器を制御するとともにキャパシタの放電開始時点とキャパシタ両端の所定放電電圧達成時点との間の時間間隔を決定するための電圧レベル検出器と協働するマイクロコンピュータが設けられ、当該マイクロコンピュータが、このようにして決定した時間間隔から、挿入子担体上の対の隣接２トラック間の抵抗の存在を検出し、その検出結果に基づき、相互に相対的に動いた隣接２挿入子担体のうち、組合わせた挿入子が隣接２挿入子担体相互の相対的動きの結果として知覚可能となる挿入子担体を検出する場合に、有利であることが判っており、かかる実施例は、比較的短い時間間隔で抵抗の存在の検出用に比較的多い検出サイクルを遂行し得るようにする。
実際に、挿入子担体の組の平坦な挿入子担体が、本のページのように、過度に対向配置され、本のカバーに似たカバーに収容されている場合に、有利であることが判っており、動作が簡単な点で有利である。
本発明による系においては、制御器をその系の提示装置上に直接に配置することができ、これは、例えば、その系を大衆が馴染み易いジュークボックスとして構成する場合に有利となる。しかしながら、制御器が好ましくは平坦な挿入子担体の組を集積した遠隔制御器である場合に、極めて有利であることが判っている。このようにすれば、本発明による系も、通常の遠隔制御器を備えた系から判る利点を有することになる。
そのうえに、挿入子担体の組の各挿入子担体が平坦であって少なくとも１枚の挿入子を導入し得る透明材料の袖からなる場合に、極めて有利であることが判っており、これは、挿入子と挿入子担体との間の結合が特に簡単である、という利点を有する。
本発明によれば、第２節で規定した種類の制御器は、所定個数の異種選択可能項目中の一選択可能項目を選択することができ、選択可能項目を選択するための選択手段を含む、提示装置を備えた系のための制御器において、当該制御器が、提示装置で選択可能な項目の個数に比例した個数の挿入子担体群からなる挿入子担体の組を備え、当該挿入子担体群が、休止位置では相互に対向し、選択可能項目に組合わされた少なくとも１個の挿入子を担持するように構成され、関連した選択可能項目に関する知覚可能の情報を備え、それぞれ隣接挿入子担体に対して相対的に動き可能であり、さらに、当該制御器が、相互に相対的に動いた隣接２挿入子担体のうち、組合わせた挿入子が隣接２挿入子担体相互の相対的動きの結果として知覚可能となり、検出した挿入子担体に組合わせた選択可能項目が選択可能な挿入子担体を検出するように構成した挿入子担体検出器を含んでいることを特徴とする。
このようにして、記録担体を所定の記録担体保持器に導入した場合に、その記録担体に結合して組合わせた挿入子は、その特定の記録担体保持器に組合わせた平坦な挿入子担体に結び付けられるようになり、したがって、多数の記録担体が適切な記録担体保持器に挿入されてしまい、したがって、組合わされた挿入子が制御器の適切な挿入子担体に結び付けられてしまった後は、実際に、挿入子群のカタログが制御器内で得られて、そのカタログは、通覧することができ、使用者が演奏、取り替え、再記録などしたいと思う記録担体に組合わせた挿入子の発見を極めて容易にする。所望の挿入子を発見してしまった後は、挿入子担体検出器は、使用者が演奏、再生、再記録などをしたいと思う記録担体の挿入子を結び付ける挿入子担体を自動的に決定し、挿入子担体検出器によって、このようにして検出した挿入子担体に組合わされた記録担体保持器を装置内で選択し得るようになるが、その選択自体は従来周知のようにして行なわれる。
このようにして、本発明による系の提示装置内の各選択可能項目については、その項目に組合わせた挿入子を、その選択可能項目に組合わせた平坦な挿入子担体に結び付けることができ、したがって、組合わせた挿入子を制御器の適切な挿入子担体に結び付けてしまった後は、実際に、組合わせた選択可能項目に関する情報などを含む挿入子群のカタログが制御器内で得られ、そのカタログは、視覚乃至聴覚によって知覚可能であり、例えば挿入子上に設けた触覚的情報の通覧乃至走査により、使用者が選択したい項目に組合わせた挿入子の発見を極めて容易にする。所望の挿入子を発見した後は、挿入子担体検出器が、使用者の選択すべき項目の挿入子を結び付ける挿入子担体により、本発明による系の提示装置内において、このようにして検出した挿入子担体に組合わせた項目を選択することが可能となり、その選択自体は従来周知のようにして行われる。
組合わせた記録担体に蓄積した内容に関連した知覚可能の情報を備えて組合わせた挿入子にそれぞれ接合した複数個の記録担体を保持するのに適応し、所定個数の記録担体を負荷することができ、記録担体を保持するために記録担体の個数に対応した個数の記録担体保持器を備えた装置を提示装置として備えるとともに、選択可能項目を形成する記録担体保持器をそれぞれ選択するための選択手段を備えた系のための本発明による制御器の好適例は、当該制御器が、前記装置に設けた記録担体保持器の個数に比例した個数の、それぞれ少なくとも１個の、それぞれ記録担体に組合わせた少なくとも１個の挿入子を保持するように構成した、それぞれ隣接挿入子担体に対して相対的に可動の平坦な挿入子担体の組を備えるとともに、相互に相対的に動いた隣接２挿入子担体のうち、組合わせた挿入子が隣接２挿入子担体相互の相対的動きの結果として知覚可能になり、検出した挿入子担体に組合わせた記録担体保持器が選択可能となる挿入子担体を検出するように構成した挿入子担体検出器を含んでいることを特徴とする。したがって、選択可能項目を形成する所定の記録担体保持器に記録担体を導入した場合に、その記録担体に結合して組合わされた挿入子は、その所定の記録担体保持器に組合わせた平坦な挿入子担体に結び付け得るようになり、したがって、多数の記録担体の選択可能項目を形成する適切な記録担体保持器への挿入、および、組合わせた挿入子の制御器の適切な挿入子担体との対応した結び付きの後には、実際に、挿入子群のカタログが制御器内で得られ、そのカタログにより、好ましくは、そのカタログの通覧により、使用者が演奏、取り替え、再記録などをしたいと思う記録担体と組合わせた挿入子の発見を極めて容易にする。所望の挿入子を発見した後は、挿入子担体検出器が、使用者の演奏、取り替え、再記録などしたいと思う記録担体の挿入子を結び付ける挿入子担体の自動決定を可能にし、挿入子担体検出器により、提示装置を形成する装置内で選択可能項目を形成するとともに、このようにして検出した挿入子担体と組合わされた記録担体保持器の選択を可能にするが、その選択自体は従来周知のようにして行なわれる。
本発明による制御器の他の好適例は、前記制御器が、レストランや同種の事業で利用可能であり、選択可能項目を形成する所定個数の異種メニューの一つを選択して発注し得るメニュー発注器を提示装置として設けてあり、メニュー発注器で選択して発注し得るメニューの個数に比例した個数の、休止位置では相互に対向し、それぞれ少なくとも１個のメニューに組合わされ、メニューに組合わされた少なくとも１個の挿入子をそれぞれ保持するように構成されて、組合わされたメニューに関する知覚可能の情報を備え、それぞれ隣接挿入子担体に対して可動の、一組の平坦な挿入子担体を備えるとともに、相互に相対的に動いた隣接２挿入子担体のうち、組合わされた挿入子が隣接２挿入子担体相互の相対的動きの結果として知覚可能になり、検出された挿入子担体に組合わされたメニューが選択可能となる挿入子担体を検出するように構成した挿入子担体検出器を含んでいることを特徴とする。本発明による制御器のこの実施例により、例えば視覚的に知覚可能な像な選択可能なメニューや料理のような知覚可能の情報を有する挿入子群のカタログを作成することができるようになり、そのカタログにより、例えばそのカタログの通覧やそのカタログ内の挿入子群の走査により、レストランの客が望むメニューに組合わされて選択可能項目を形成する知覚可能の情報を有する挿入子の発見が極めて容易になり、その発見の後は、挿入子担体検出器により、所望のメニューに組合わされた知覚可能の情報を有する挿入子を結び付ける挿入子担体が決定され、その後は、最後に、挿入子担体検出器により、このようにして検出決定した挿入子担体に組合わせたメニューが、提示装置を形成するメニュー発注器内で選択される。
本発明による制御器の他の好適例は、前記制御器が、選択可能項目を形成して電話番号出力器に蓄積された所定個数の異種電話番号のうちの一つの電話番号が選択可能であり、したがって、出力可能である電話番号出力器を提示装置として備えた系用に設けてあり、選択可能項目を形成する電話番号をそれぞれ選択するための選択手段を含み、さらに、電話番号出力器で選択、出力が可能の電話番号の個数に比例した個数の、休止位置では相互に対向し、それぞれ少なくとも１個の電話番号に組合わされ、電話番号に組合わされた少なくとも１個の挿入子をそれぞれ保持するように構成するとともに、組合わされた電話番号に関連した知覚可能の情報を備え、隣接挿入子担体に対して可動の、１組の平坦な挿入子担体を備えるとともに、相互に相対的に動いた隣接２挿入子担体のうち、組合わせた挿入子が隣接２挿入子担体相互の相対的動きの結果として知覚可能になり、検出した挿入子担体に組合わせた電話番号が選択可能となる挿入子担体を検出するように構成した挿入子担体検出器を含んでいることを特徴とする。本発明による制御器のこの実施例においては、例えば、選択可能の電話番号の視覚的に知覚可能の電話加入者の氏名、住所や写真などのような知覚可能の情報をもった挿入子群のカタログを作成することができ、そのカタログにより、例えば、そのカタログ中の挿入子群の通覧もしくは走査により、加入者が望む電話番号に組合わされて選択可能項目を形成する知覚可能の情報を有する挿入子の発見が極めて容易となり、その後は、挿入子担体検出器により、所望の電話番号に組合わせた知覚可能の情報を有する挿入子を結び付ける挿入子担体が決定され、その後は、最後に、挿入子担体検出器により、このようにして決定した挿入子担体に組合わせた電話番号が、提示装置を形成する電話番号出力器内で選択される。
本発明による上述の制御器においては、装置の記録担体保持器に割当てた符号に対応する符号を各挿入子担体に割当てた場合に有利であることが判っているが、これは、挿入子担体の簡単な追跡および検出の点で有利である。
挿入子担体に割り当てる符号は、文字や記号とすることができる。しかしながら、各挿入子担体に割当てた符号が数字である場合に、特に有利であることが判っており、これは、挿入子担体の整然とした追跡および検出が可能となるという利点を有する。
符号を付した挿入子担体に関し、特に好適な実施例は、挿入子担体検出器が、隣接挿入子担体に対して相対的に動いた挿入子担体の符号を検出するのに適応していることを特徴とする。その結果、挿入子担体の追跡および検出が符号の検出によって簡単になる。
本発明によるかかる制御器の好適例は、挿入子担体検出器により検出した符号を蓄積するための蓄積器を備えたことを特徴とする。その結果、確実に、挿入子担体検出器によって決定した符号は、失われず、望むならば、制御器から当該装置へ複数回伝送するのに利用し得る、という利点が得られる。
本発明による制御器においては、各挿入子担体が少なくとも１枚の導電箔を備えており、挿入子担体群が相互に対向している場合には、導電箔も相互に対向して相互に絶縁され、相互に対向した挿入子担体の導電箔が容量的に相互に結合し、各導電箔を導電接続を介して挿入子担体に接続することができ、挿入子担体検出器が、相互に対向した２導電箔間の所定の容量結合の存在を検出するのに適応して、各検出結果に基づき、相互に相対的に動いた隣接２挿入子担体のうち、結合させた挿入子が隣接２挿入子担体相互の相対的動きの結果として知覚可能になる挿入子担体を検出する場合に、特に有利となることが判っており、これは、制御器の最高の検出信頼度および簡単な構成の点で有利である。
本発明による制御器については上述したように、挿入子担体検出器が、相互に相対的に動いた隣接２挿入子担体の導電箔間の容量結合の不在を検出するのに適応している場合に、極めて有利であることが判っており、かかる実施例は、特に、極めて高度の検出信頼度を提供する点で極めて好適であることが判っている。
容量結合の検出に適応した挿入子担体検出器を備えた制御器においては、挿入子担体の組が挿入子担体の第１群および挿入子担体の第２群を備え、挿入子担体の２群の一方の挿入子担体が挿入子担体の２群の他方の隣接２挿入子担体間に間挿され、挿入子担体検出器が、挿入子担体の２群の一方の空間的に連続した挿入子担体の導電箔に時間順次に接続し得る出力端を有する交流電圧発生器、および、交流電圧発生器の出力端に対向して、挿入子担体の２群の他方の空間的に連続した挿入子担体の導電箔に時間順次に接続し得る入力端を有する交流電圧検出器を備えた場合に、極めて有利であることが判っており、これは、論理過程で進行する高度に統計的な検出過程の点で好適である。
かかる検出器の交流電圧検出器の構成については、交流電圧検出器が第１入力端および第２入力端を有する相関器段を備え、第１入力端は、挿入子担体の２群の他方の空間的に連続した導電箔に時間順次に接続することができ、第２入力端は、挿入子担体の２群の一方の空間的に連続した挿入子担体の導電箔に時間順次に接続し得る交流電圧発生器の出力端に接続する場合に、極めて有利であることが判っており、これは、簡単な構成を高い検出信頼度に結び付ける交流電圧検出器を得るのに有利である。
本発明による制御器においては、各挿入子担体が、少なくとも１対の導電材料の隣接２トラックを備え、相互に相対的に動いた隣接２挿入子担体のうち、組合わせた挿入子が、隣接２挿入子担体相互の相対的動きの結果として知覚可能になる挿入子担体上の対の隣接２トラックが、少なくとも１指の表皮抵抗を介し、当該少なくとも１指で触れることにより相互接続することができ、各トラックが、導電接続を介して挿入子担体検出器に接続可能であり、挿入子担体検出器が、挿入子担体上の対の隣接２トラック間の抵抗の存在を検出するのに適応するとともに、各検査結果に基づき、相互に相対的に動いた隣接２挿入子担体のうち、組合わせた挿入体が隣接２挿入子担体相互の相対的な動きの結果として知覚可能になる挿入子担体を検出する場合に、極めて有利であることが判っており、かかる実施例は、構成が簡単という利点を有している。他の利点としては、挿入子担体検出器による挿入子担体の検出については、かかる挿入子担体上に設けた並置トラック群中の対の２トラックに少なくとも１本の指で故意に触れなければならず、挿入子担体上の２トラックのかかる故意接触によって、その挿入子担体に組合わせた選択可能項目の選択の初期化を付加的に可能にし、これは動作が簡単な点で有利である。
先行節に述べたように構成した本発明による制御器においては、挿入子担体検出器が、第１検出動作およびさらに引き続く第２検出動作で挿入子担体上の対の隣接２トラック間の抵抗の値を検出するとともに、２検出動作で検出した抵抗値の差を決定するのに適応し、このようにして決定した差に基づき、相互に相対的に動いた隣接２挿入子担体のうち、組合わせた挿入子が、隣接２挿入子担体相互の相対的な動きの結果として知覚可能になる挿入子担体を検出する場合に、極めて有利があることが判っており、これは、抵抗の値の検出が、その抵抗の絶対値には無関係である、という利点がある。
挿入子担体上の対の隣接２トラック間の抵抗の存在を検出するのに適応した挿入子担体検出器を備えた本発明による制御器においては、挿入子担体上の対の隣接２トラック間の抵抗の存在を検出するための挿入子担体検出器が、制御可能の切換器を介して充電可能のキャパシタを含む回路を備え、挿入子担体上の対の隣接トラックが、それぞれ、キャパシタを放電させるために、制御可能の切換器を介して当該キャパシタの２端子の一方に接続可能にするとともに、当該端子を、所定の放電電圧に到達したことを検出し得るようにする電圧レベル検出器に接続し、制御可能の切換器および電圧レベル検出器と協働して当該切換器を制御するとともに、キャパシタの放電開始時点とキャパシタ両端の所定放電電圧到達時点との間の時間間隔を決定するマイクロコンピュータを設けておき、当該マイクロコンピュータが、このようにして決定した時間間隔から、挿入子担体上の対の隣接２トラック間の抵抗の存在を検出するとともに、その検出結果に基づき、相互に相対的に動いた隣接２挿入子担体のうち、組合わせた挿入子が隣接２挿入子担体相互の相対的な動きの結果として知覚可能になる挿入子担体を検出する場合に、さらに有利となることが判っており、かかる実施例は、比較的短い時間間隔での抵抗の検出に対して比較的多数の検出サイクルの遂行を可能にする。
本発明の制御器においては、挿入子担体の組の平坦な挿入子担体群が本のページ群のように過度に対向配置され、本のカバーに似たカバーに収容されている場合にも、有利であることが判っており、これは、制御器の使用が簡単である点で有利である。
さらに、本発明による制御器については、平坦な挿入子担体の組を集積した遠隔制御器として構成した場合に、有利であることが判っており、このようにして、本発明による制御器も、通常の遠隔制御器から判る利点を有している。
挿入子担体の組の平坦な各挿入子担体を、少なくとも１個の挿入子を導入し得る透明材料の袖により形成した場合には、極めて有利であることがさらに判っており、これは、挿入子と挿入子担体との間に、できるだけ簡単な結合を得るのに有利である。
本発明の上述した面は、その他の面ともども、以下の例によって記載する実施例の説明から明らかになろう。
本発明は、図面で説明するが、本発明を限定するものではない実施例を参照してさらに詳細に説明しよう。
図１
多数の円板状記録担体を演奏するように構成し、交換機として構成した提示装置を備えた本発明による第１実施例および当該装置を制御するための本発明による遠隔制御器の第１実施例を示すブロック線図である。
図２
円板状記録担体および記録担体の内容に関連した可視情報を備えて組合わせた挿入子を収容する閉鎖状態のカセット様収納器を示す線図である。
図３
図２のカセット様収納器を開放状態で示す線図である。
図４
図１に示した系の遠隔制御器を示す斜視図である。
図５
図４に示した遠隔制御器の電気的構成を模式的に示す線図である。
図６
図４および図５に示した遠隔制御器の挿入子担体検出器の回路構成を示す回路図である。
図７
記録担体に組合わせた挿入子群を保持するために積上げた挿入子担体群を備え、本発明による系の第２実施例を意図した本発明による遠隔制御器の第２実施例を極めて模式的に示す斜視図である。
図８
一方の挿入子担体を隣接挿入子担体に対してずらし、上下に重ねた、図７に示した遠隔制御器の２挿入子担体を模式的に示す線図である。
図９
提示装置としてのメニュー発注器と基本的には図１乃至図６に示した系の遠隔制御器に対応してメニュー発注器を制御するための本発明による遠隔制御器とを備えた本発明の第３実施例による系を示すブロック線図である。
図１０
提示装置としての電話番号出力器と基本的には図１乃至図６に示した系の遠隔制御器に対応して電話番号出力器を制御するための本発明による遠隔制御器とを備えた本発明の第４実施例による系を示すブロック線図である。
図１１
図４と同様に、交換機として構成した提示装置を制御する役をし、本のページ群のように相互に対向した平坦な挿入子担体群を備え、それぞれ１枚の挿入子を受けるようにした本発明の第４実施例による遠隔制御器を示す斜視図である。
図１２
図１１に示した遠隔制御器に使用し、２個の電気接続小孔およびその遠隔制御器のぎざぎざ接触装置を備えた平坦な挿入子担体を示す斜視図である。
図１３
図１２に示した接触装置の関連部分の電気的構成および図１１に示した遠隔制御器の挿入子担体検出器を示す回路図である。
図１は、一点鎖線で記号的に示した市販の記録担体２の演奏用にした系１を模式的に示す。この場合、記録担体２は、一般に「コンパクト・ディスク」、略して「ＣＤ」と呼ぶ、光学的に走査する円板状記録担体であるとする。かかる記録担体２は、それぞれ、以下に詳細に説明する挿入子と組合わせて使用するかかる挿入子は、それぞれ、ちらしや小さな本の形をとり、組合わせた記録担体２の内容に関連した可視情報を含んでおり、その可視情報は、例えば、関連した挿入子に印刷してある。
この系１は、提示装置と見做すべき装置３、および、提示装置すなわち装置３を制御するための、この場合遠隔制御器が成形する制御器４を備えている。装置３は、所定個数Ｎの記録担体２を受入れることができる。記録担体２を装置３に負荷するために、装置３の前面壁３ａは、記録担体２を装置３に導入し得るスロット５を有している。
記録担体２を保持するために、装置３は、軸６の周りに回転可能の回転木馬型保持装置７を備えている。保持装置７は保持すべき個数Ｎの記録担体２に対応し、この場合選択可能項目と見做すべき個数Ｎの記録担体保持器８を有する。所定の符号がかかる記録担体保持器８のそれぞれに割当ててある。この場合、記録担体保持器８に割当てた符号は、数字、すなわち、数字群“０”，“１”，“２”，“３”乃至“ｎ”および最後の“Ｎ−１”である。
装置３は、さらに演奏器９を備えている。方法は示してないが、記録担体２は、保持装置７内の記録担体保持器８から取出して演奏器９内に導入することができる。このようにして導入した各記録担体２は、演奏器９内で演奏することができる。記録担体２は、演奏器９から、方法は示してないが、保持装置７の適切な記録担体保持器８に戻すことができる。
回転木馬型保持装置７内に存在する記録担体２を、演奏器９中に負荷し、演奏器９から取出し得るようにするには、関連した記録担体２用の記録担体保持器８を選択して、数字“ｎ＋１”をもった記録担体保持器８−“ｎ＋１”について図１に示すように、演奏器９に対する所定の位置に運ばなければならない。
記録担体２を外部から所定の記録担体保持器８内に負荷し、もしくは、挿入してある記録担体２を、装置３から取出すために、図示してない他の方法の援けを借りて記録担体保持器８から取出すには、関連した記録担体２に組合わせた記録担体保持器８を、図１に数字“１”をもった記録担体保持器８−“１”について示すように、装置３の前面壁３ａ中のスロット５に対する所定の位置に運ばなければならない。
装置３の回転木馬型保持装置７を駆動するために、装置３は、一点鎖線で示す駆動接続を介し、二重矢印１２で示すように反対方向に保持装置７を回転させ得るモータ１０を有している。駆動モータ１０は制御給電器１３によって付勢し、その制御給電器１３は、所定の記録担体保持器８に組合わせ、所定の記録担体保持器８に割当てた番号に対応した駆動情報に応じ、関連した記録担体保持器８を、スロット５に対応した相対位置まで、もしくは、演奏器９に対応した相対位置まで回転せるように、駆動モータ１０を制御して付勢する。
装置３を制御し、就中、選択可能項目を形成する所定の所望記録担体保持器８を選択するために、系１は、遠隔制御器４として構成した制御器を備えている。その遠隔制御器４は、所望の記録担体保持器８の符号、すなわち番号を発生させ、所望の記録担体保持器８を選択するための選択手段１４を備えている。例えば多線の接続線１５は、所望記録担体保持器８の番号を発生させてその保持器を選択するための手段１４を、発生した番号を装置３への簡単な伝送に適した形に変換するための手段１６に接続する。この場合、発生した番号を装置３への簡単な伝送に適した形に変換するための手段１６は、他の電気的接続線１７を介して赤外線送信機１８に接続されている。
赤外線送信機１８が供給する信号は、装置３の赤外線受信機１９により電気的接続線２０を介して受信し、受信信号を処理して、発生した番号を表わす形に再変換するための手段２１に供給する。その手段２１は、受信した番号に対応した制御情報を、例えば多線の電気的接続線２２を介して、制御給電器１３に供給する。
図１には、遠隔制御器４の第１キー２３および第２キー２４をも示してある。第１キー２３は、選択手段１４により発生した番号の装置３への伝送を開始させる役をし、キー２３の操作により装置３に伝送した番号は、装置３の制御給電器１３内で処理し、モータ１０が回転木馬型保持装置７を回転させて、伝送した番号に組合わせた記録担体保持器８を装置３の前面壁３ａ内のスロット５に対応した相対位置まで運んで、例えば、関連した記録担体保持器８内に存在する記録担体２を装置３から取出し、もしくは、記録担体２をその記録担体保持器８内に負荷する。第２キー２４は、手段１４により発生させた番号の装置３への伝送を開始させる役をし、装置３の制御給電器１３が第２キー２９の操作により伝送した番号を処理し、モータ１０が回転木馬型保持装置７を回転させて、伝送した番号に組合わせた記録担体保持器８を演奏器９に対応した相対位置まで運ぶ。
上述したところら明らかなように、装置３は、記録担体保持器８が形成する現下の装置３において、所定個数の異なる選択可能項目から、１個の選択可能項目、すなわち、１個の記録担体保持器８を、以下に説明すべき、選択可能項目、すなわち記録担体保持器を選択するための選択手段を備えた遠隔制御器４が形成する制御器により選択し得るようにした提示装置である。
図２および図３を参照するに、各円板状記録担体２は、組合わせた挿入子２５とともに、市販されていることに再度留意すべきである。購入の際に、図３に再度一点鎖線で示す各記録担体２と組合わせた挿入子２５とは、カセット様の収納器２６に収容されている。各収納器は、記録担体２を保持するための凹所部２８を有する底部２７および底部２７に対して枢支可能であり、押下げ部３１と押上げ部３２とで保持した挿入子２５が存在する透明材料のカバー部３０を備えている。各挿入子２５は、組合わせた記録担体２に蓄積した内容に関連した可視情報を含んでいる。
例えば、各挿入子２５に印刷した情報は、音楽片の作曲者、音楽片の題名、音楽片の解説者、音楽片を演奏したオーケストラ、そのオーケストラの指揮者やその他の種々の情報を含んでいる。かかる挿入子２５に、組合わせた記録担体２の内容に関連した画像、写真あるいは図表も含んでいるのは初中である。かかる挿入子２５の重要な利点は、かかる挿入子に設けた可視情報により、組合わせた記録担体２の内容を使用者が即座に知らされることである。
図４は、図１の系１の遠隔制御器４をさらに詳細に示したものである。遠隔制御器４は、平坦な挿入子担体３４の組３３を備えている。現下の場合、平坦な挿入子担体３４の組３３は、装置３に設けた記録担体保持器８の個数Ｎに比例した個数Ｎの担体３４を備え、挿入子担体３４の各１個は、記録担体保持器の各１個に組合わされている。現下の場合、挿入子担体３４の個数Ｎは、記録担体保持器８の個数Ｎに対応している。しかしながら、これは必ずしもそうではない。例えば、個数Ｎの記録担体保持器８の場合には、個数Ｎ／２もしくはＮ／３もしくはＮ／４の挿入子担体３４だけを設けることができる。この点については挿入子担体３４の組３３は、挿入子担体３４の第１群３４Ａと挿入子担体３４の第２群３４Ｂとを備えていることに留意すべきである。さて、挿入子担体３４の第１群３４Ａは、挿入子担体３４−“０”，３４−“２”，３４−“４”等を含んでいる。挿入子担体３４の第２群３４Ｂは、この場合、挿入子担体３４−“１”，３４−“３”，３４−“５”等を含んでいる。
図４に示す休止位置では、挿入子担体３４は、本のページ群と同様に、相互に平坦面で対向している。挿入子担体３４のよく整列した配列では、遠隔制御器４は、本のカバーに似たカバー３５を備えており、そのカバーは、下部３６、背部３７および上部３８を備えている。２個のＵ字形腕木３９および４０が下部３６に接続してある。
現下の場合、平坦な挿入子担体３４は、それぞれ、透明な電気絶縁材料の袖で作られている。挿入子２５は、それぞれの袖に導入しても、袖が透明であるから、そのまま見える。袖の形の各挿入子担体は、左手の余分領域４１に２個の孔４２および４３を有し、その孔を通ってＵ字形の腕木３９および４０が伸びている。
横の延長部４４は、カバー３５の下部に完全に接続されている。横の延長部４４は、遠隔制御器４の電気回路を収容し、上面４６に７桁表示器と呼ぶもので形成した表示器４７およびキーの群４８を配置した容器４５を載せている。キーの群４８は２個のキー２３および２４を含んでいる。
平坦な挿入子担体３４は、装置３の記録担体保持器８のと同じ符号群、すなわち、現下の場合数字“０”，“１”，“２”，“３”乃至“ｎ”および最後の“Ｎ−１”を有している。しかしながら、２個、３個もしくは４個の記録担体保持器８の番号を挿入個担体３４に割当てることができるので、これは必ずしもそうではない。現下の場合、各挿入子担体３４は、記録担体２に組合わせた挿入子２５を受けるのに適応している。しかしながら、挿入子担体３４も２個、３個もしくは４個の挿入子２５を保持するのに適応させることができるので、これも必ずしもそうではない。そのうえに、挿入子担体３４と記録担体保持器８とは同じ符号をもつ必要がなく、例えば、挿入子担体３４に割当てる符号は、文字もしくは文字と数字との組合わせとすることができ、記録担体保持器８に割当てる符号は、２値データ語とすることができ、その場合には、文字または文字および数字の組合わせと２値データ語との関係が、組合わせた記録担体保持器８を挿入子担体３４によって選択し得るように規定するだけでよい。
各挿入子担体３４は、隣接挿入子担体３４に対して相対的に可動である。現下の場合、例えば、番号“Ｎ−１”をもった最上の挿入担体、すなわち、図４の３４−“Ｎ−１”は可動であり、最上挿入子担体３４−“Ｎ−１”をその下の挿入子担体３４−“Ｎ−２”から持ち上げて離し、挿入子担体３４−“Ｎ−１”は、Ｕ字形腕木３９および４０を超えて背部３７および上部３８に向けて動かされる。これは、本のページをめくるのと同じである。他の挿入子担体３４は、その下の挿入子担体３４に対して全く同様に動かされる。
図５に示すように、番号“０”，“１”および“２”をもった挿入子担体３４−“０”，３４−“１”および３４−“２”については、袖の形の各挿入子担体３４が導電箔４９を、例えば関連する挿入子担体３４に貼り付けて備えている。挿入子担体３４の一方が他方の頂部に重なっている場合には、導電箔４９も重なって、電気的絶縁材料の挿入子担体３４により相互に絶縁されている。その場合は、重なった挿入子担体３４の隣接箔４９相互間に容量結合が存在している。換言すれば、これは、隣接２導電箔がそれぞれ容量を形成することを意味する。各導電箔４９は、可撓性導電体５０の形の導電接続により挿入子担体検出器５１に接続されており、その挿入子担体検出器は、導電箔４９および可撓性導電体５０ともども、所望の記録担体保持器８−“ｎ”の番号“ｎ”を発生させ、その保持器８−“ｎ”を選択するための検出手段１４の部分を形成する。導電箔４９および可撓性導電体５０は、番号“０”，“１”乃至“ｎ”および最後の“Ｎ−１”を付した挿入子担体３４と同様にして番号を付される。図５には、箔４９−“０”および可撓性導電体５０−“０”が、図面の明瞭のために一点鎖線で示してある。挿入子担体検出器５１は、図６に詳細に示してある。この挿入子検出器５１により、隣接２挿入子担体３４−“ｎ”および３４−“ｎ＋１”について、相互に相対的に動いた、番号“ｎ”および“ｎ＋１”をもつ隣接２挿入子担体３４−“ｎ”および３４−“ｎ＋１”について、組合わせた挿入子２５−“ｎ”が隣接２挿入子担体３４−“ｎ”および３４−“ｎ＋１”相互の相対的な動きの結果として可視となった挿入子担体３４−“ｎ”の検出が可能となる。現下の場合には、挿入子担体検出器５１により、番号“ｎ＋１”をもった隣接挿入子担体、すなわち、その上に位置する挿入子担体３４−“ｎ＋１”が動いた挿入子担体３４−“ｎ”の番号“ｎ”の検出が可能となる。所望の記録担体保持器８−“ｎ”の番号“ｎ”に対応して検出した番号“ｎ”は、挿入子担体検出器５１から図１に示した系１の装置３に、所望の記録担体保持器８を選択するために伝送可能となり、その結果、検出した番号“ｎ”が、電気接続線１５を介し、検出した番号“ｎ”を装置３への簡単な伝送に適した形に変換するための手段１６に印加され、その手段１６が電気接続線１７を介して赤外線送信機１８を駆動する。現下の場合には、挿入子担体検出器５１が、隣接２挿入子担体３４の隣接２導電箔４９間の一定容量結合の存在の検出に適応し、その即時の検出結果に基づいて、隣接挿入子担体３４−“ｎ＋１”が相対的に動いた担体３４−“ｎ”の番号“ｎ”を決定する。
現下の場合には、挿入子担体検出器５１は、番号“ｎ＋１”をもった隣接挿入子担体３４−“ｎ＋１”が相対的に動いた番号“ｎ”を有する挿入子担体３４−“ｎ”の箔４９−“ｎ”と番号“ｎ＋１”を有する動いた挿入子担体３４−“ｎ＋１”の箔４９−“ｎ＋１”との間の容量結合の不在の検出に極めて有利に構成されている。
さて、挿入子担体検出器５１を、図６を参照して詳細に説明する。図６に示した挿入子担体３４に接続した番号“１”，“２”，“３”，“４”，“５”，“６”および“７”の導電箔４９は、Ｎ個の導電箔全部を模式的に表わている。挿入子担体３４に対するのと同様に、その挿入子担体３４に接続した導電箔４９も、箔４９の第１群４９Ａと箔４９の第２群４９Ｂとに属している。箔４９の第１群４９Ａは箔４９−“０”，４９−“２”，４９−“４”等を含み、箔４９の第２群４９Ｂは箔４９−“１”，４９−“３”，４９−“５”等を含んでいる。番号“０”乃至“７”を有する導電箔４９は、同じ番号“０”乃至“７”を有する可撓性導体５０に接続されている。
挿入子担体検出器５１は、第１入力端５３並びに第１出力端５４、第２出力端５５、第３出力端５６および第４出力端５７を、第１制御入力端５８、第２制御入力端５９および第３制御入力端６０ともども有する第１多重器５２を備えている。制御入力端５８，５９および６０は、それぞれ、２値データ語、第１制御入力端５８に印加する最低位ビット（ＬＳＢ）および第３制御入力端６０に印加する最高位ビット（ＭＳＢ）を受ける。第１多重器５２は２値データ語“０００”がその制御入力端５８，５９および６０に印加された場合に、入力端５３が第１出力端５４に接続されるように構成されている。２値データ語“００１”が制御入力端５８，５９および６０に印加された場合には、入力端５３は第２出力端５５に接続される。２値データ語“０１０”が制御入力端５８，５９および６０に印加された場合には、入力端５３は第３出力端５６に接続される。２値データ語“０１１”が制御入力端５８，５９および６０に印加された場合には、入力端５３は第４出力端５７に接続される。
交流電圧発生器は、第１多重器５２の入力端５３に接続した出力端６１を有し、２０ｋＨｚ乃至３０ｋＨｚの範囲の周波数を有する方形波信号を第１多重器５２の入力端５３に供給する方形波発生器として構成されている。
第１多重器５２の第１出力端５４は、可撓性導電体５０−“０”を介して導電箔４９−“０”に接続されている。第１多重器５２の第２出力端５５は、可撓性導体５０−“２”を介して導電箔４９−“２”に接続されている。第１多重器５２の第３出力端５６は、可撓性導体５０−“４”を介して導電箔４９−“４”に接続されている。第１多重器５２の第４出力端５７は、可撓性導体５０−“６”を介して導電箔４９−“６”に接続されている。
挿入子担体検出器５１は、さらに、第２多重器６４を備えている。第２多重器６４は、第１入力端６５、第２入力端６６、第３入力端６７、第４入力端６８および出力端６９を有している。第２多重器６４は、さらに、第１制御入力端７０、第２制御入力端７１および第３制御入力端７２を有している。制御入力端７０，７１および７２は、それぞれ、２値データ語、第１制御入力端７０に印加される最低位ビット（ＬＳＢ）および第３制御入力端７２に印加される最高位ビット（ＭＳＢ）を受ける。２値データ語“０００”が制御入力端７０，７１および７２に印加された場合には、第１入力端６５が出力端６９に接続される。２値データ語“００１”が制御入力端７０，７１および７２に印加された場合には、第２入力端６６が出力端６９に接続される。２値データ語“０１０”が制御入力端７０，７１および７２に印加された場合には、井３入力端６７が出力端６９に接続される。２値データ語“０１１”が制御入力端７０，７１および７２に印加された場合には、第４入力端６８が第２多重器６４の出力端６９に接続される。
第２多重器６４の第１入力端６５は、可撓性導体５０−“１”を介して導電箔４９−“１”に接続されている。第２多重器６４の第２入力端６６は、可撓性導体５０−“３”を介して導電箔４９−“３”に接続されている。第２多重器６４の第３入力端６７は、可撓性導体５０−“５”を介して導電箔４９−“５”に接続されている。第２多重器６４の第４の入力端６８は、可撓性導体５０−“７”を介して導電箔４９−“７”に接続されている。抵抗７３が第２多重器６４の出力端６９に接続されている。容量結合した２枚の導電箔４９からなるキャパシタと抵抗７３とは、例えば、挿入子担体３４に手で触れた場合に起り得る低周波妨害信号を抑制し、少なくとも減衰させ得る高域通過フィルタを形成する。
挿入子担体検出器５１は、第１出力端７５、第２出力端７６、第３出力端７７、第４出力端７８、歩進入力端７９およびリセット入力端８０を有するカウンタ７４を備えている。その出力端７５，７６，７７および７８で、カウンタ７４は、即時係数値、第１出力端７５に現われる最低位ビット（ＬＳＢ）および第４出力端７８に現われる即時２値データ語の最高位ビット（ＭＳＢ）に対応した２値データ語を発生させる。
カウンタ７４の第２出力端７６は第２多重器６４の第１制御入力端７０に接続されている。カウンタ７４の第３出力端７７は第２多重器６４の第２制御入力端７１に接続されている。カウンタ７４の第４出力端７８は第２多重器６４の第３制御入力端７２に接続されている。
挿入子担体検出器５１は、さらに、第１入力端８２、第２入力端８３、第３入力端８４、第４入力端８５、第１出力端８６、第２出力端８７、第３出力端８８および第４出力端８９を有する加算器段８１を備えている。カウンタ７４の第１出力端７５は、加算器段８１の第１入力端８２に接続されている。カウンタ７４の第２出力端７６は、加算器段８１の第２入力端８３に接続されている。カウンタ７４の第３出力端７７は、加算器段８１の第３入力端８５に接続されている。カウンタ７４の第４出力端７８は、加算器段８１の第４入力端８５に接続されている。加算器手段８１の第３出力端８８は、第１多重器５２の第２制御入力端５９に接続されている。加算器段８１の第４出力端８９は、第１多重器５２の第３制御入力端６０に接続されている。
加算器段８１は、その出力端８６，８７，８８および８９に印加した２値データ語に番号（１）をその都度加算し、出力端８６，８７，８８および８９に結果の２値データ語を供給するように構成されている。
そのうえに、低周波妨害信号拒絶用高域通過フィルタ９０は、第２多重器６４の出力端６９に接続されている。供給電圧Ｖ１によって付勢される増幅器９１は、高域通過フィルタ９０に接続されている。増幅器９１は、供給電圧Ｖ2によって付勢されるパルス成形器段９２が後続している。パルス成形器段９２は、出力端９３に接続した負荷抵抗９５に印加された方形波信号９４が現われる出力端９３を有している。パルス成形器段９２の出力端９３は、さらに、通常簡単にＸＯＲゲートと呼ばれ、方形波信号９４を受信する排他的オアゲートによって簡単に形成した相関器段９７に接続されている。
交流電圧発生器６２を形成する方形波発生器の出力端６１がさらに増幅器９９の入力端９８に接続されているので、交流電圧発生器６２の方形波出力信号６３は、第１多重器５２にその多重器の入力端５３を介して印加されるのみならず、増幅器９９にもその増幅器の入力端９８を介して印加される。増幅器９９は、パルス成形器段９２と同じ供給電圧Ｖ２を受ける。出力端１００では、増幅器９９が増幅された方形波信号１０１を出力端１００に接続された負荷抵抗１０２の両端に発生させる。増幅器９９の出力端１００は、方形波信号１０１が印加される相関器段９７の第２入力端１０３に接続されている。相関器段９７は、パルス成形器段９２、増幅器９９並びに負荷抵抗９５および１２とともに、交流電圧検出器を形成し、それによって、第２多重器６４の出力端６９に交流電圧が現われるか否かを検出し得るようになり、これは、隣接重畳した２挿入子担体３４の隣接２導電箔４９相互間に容量結合が存在する場合にのみ事実となる。
相関器段９７においては、相関器段９７の２入力端９６および１０３に印加された２方形波信号９４および１０１が相関によって相互に比較される。２方形波信号９４および１０１が相関信号であった場合、すなわち、かかる２信号が本質的に相互に対応する場合、これは、相関器段９７の出力端１０４に平均値が接地電位に等しい電位を発生させる。反対に、相関器段９７の２入力端９６および１０３に印加された２方形波信号９４および１０１が相関していない場合には、相関器段９７の出力端１０４に、１／２Ｖ２にほぼ等しい値の電位を発生させる。
抵抗１０５は、相関器段９７の出力端に接続された一方の端子と初期状態では以下に述べるようにしてほぼ３／５Ｖ２の電位に保持された回路点１０６に接続された他方の端子とを有している。キャパシタ１０７は、回路点１０６に接続された一方の端子を有しており、他方の端子は接地電位にある。回路点１０６は、比較器１０８の反転入力端に接続されている。比較器１０８の非反転入力端は、２抵抗１０９および１１０を備えた電圧分割器によりほぼ１／４Ｖ２の電位にもたらされている。比較器１０８の出力端は、線１１２を介してＮＯＲゲート１１４の入力端１１３に接続された回路点１１１に接続されている。ＮＯＲゲート１１４の出力端１１５は、抵抗１１６を介してトランジスタ１１７のベースに接続され、このトランジスタのエミッタは、２抵抗１１９（２Ｒ）および１２０（３Ｒ）を備えた電圧分割器のタップ１１８に接続され、コレクタは、回路点１０６に接続されている。
比較器１０８の出力端に対する回路点１１１は、さらに、線１２１を介してカウンタ７４の進歩入力端７９に接続されている。
相関器段９７の出力端１０４は、さらに抵抗１２２の一端に接続され、その抵抗の他端は回路点１２３に接続され、その回路点にはキャパシタ１２４の一端子が接続され、そのキャパシタの他端子は接地電位にある。回路点１２３は、他の比較器１２５の反転入力端に接続されている。比較器１２５の非反転入力端は、２抵抗１２６および１２７を備え、供給電圧Ｖ２に接続された電圧分割器により、１／４Ｖ２の基準電位にもたらされる。比較器１２５の出力端は、線１２８を介して遅延段１３１に接続され、その遅延段は抵抗１２９およびキャハシタ１３０を備えている。遅延段１３１はＮＯＲゲートにより形成された反転器１３２に接続され、その反転器の出力端１３３は、カウンタ７４のリセット入力端８０に接続されるとともに、線１３４を介してＮＯＲゲート１１４の第２入力端１３５に接続されている。
挿入子担体検出器５１は、さらに４重ＮＯＲゲート１３６を備えている。その４重ＮＯＲゲート１３６の入力端群は、カウンタ７４の出力端群７５，７６，７７および７８に接続してある。２値データ語“００００”がカウンタ７４の出力端群７５，７６，７７および７８から４重ＮＯＲゲート１３６の入力端群に印加された場合にのみ、このＮＯＲゲート１３６は、その出力端に立上りエッジ１６７の形の制御信号を発生させて、例えば、抵抗とキャパシタとを備えて、例えば０．２５秒の遅延時間Ｔ1を有する遅延段１６９に印加する。遅延段１６９の遅延時間Ｔ1の経過後に、この遅延段は、遅延した正極性エッジを発生させ、パルス発生器１３７を活性化するために、その遅延段１６９に接続したパルス発生器１３７に印加する。そのパルス発生器１３７が活性化されると、そのパルス発生器は他のＸＯＲゲート１３９の第１入力端１３８に方形波パルスを供給し、そのパルスは、ＸＯＲゲート１３９の出力端１４０にいわゆるラッチパルス１４１を発生させる。そのラッチパルス１４１は、ラッチ１４３のラッチ入力端１４２に印加されて、２値データ語“００００”が遅延段１６９の遅延時間Ｔ1より長い時間の間出力端群７５，７６，７７および７８に現われた場合、すなわち、歩進パルス162がカウンタ７４に印加されなくなり、挿入子担体３４−“０２が検出されて、ラッチされた２値データ語“００００”により表示器４７上に表示されることを意味した場合に、ラッチパルス１４１の立上りエッジがラッチ動作を開始させる。ＸＯＲゲート１３９は、線１２８を介して比較器１２５の出力端に接続された第２入力端１４４を有している。
ラッチ１４３は、４入力端１４５，１４６，１４７および１４８と４出力端１４９，１５０，１５１および１５２とを有している。入力端群１４５，１４６，１４７および１４８は、カウンタ７４の出力端群７５，７６，７７および７８に接続されている。このようにして、カウンタ７４の出力端群７５，７６，７７および７８に現われた２値データ語がラッチ１４３の入力端群１４５，１４６，１４７および１４８に印加されて、ラッチパルス１４１がラッチ１４３のラッチ入力端１４３に印加されたときに、その２値データ語がラッチされ、すなわち、ラッチパルス１４１の立下りエッジの出現に応じてラッチ１４３内に一時蓄積される。ラッチ１４３内に蓄積された２値データ語は、ラッチ１４３の出力端群１４９，１５０，１５１および１５２に現われる。
ラッチ１４３の出力端群１４９，１５０，１５１および１５２は、表示駆動器１５３の入力端群に接続され、その表示駆動器１５３がラッチ１４３の出力端群１４９，１５０，１５１，１５２から受取った２値データ語を復号し、現下の場合挿入子担体３４−“ｎ”の検出された番号“ｎ”を表わし、７桁表示器４７を駆動するのに適した形に変換し、その表示器４７に復号された２値データ語が多線電気接続線１５４を介して印加される。
ラッチ１４３の出力端群１４９，１５０，１５１および１５２は、ラッチ１４３内に蓄積された２値データ語を変換して、現下の場合挿入子担体３４−“ｎ”の検出された番号“ｎ”を表わすための手段１６にも接続されている。その手段は、変換器１５５を含んでおり、その入力端群がラッチ１４３の出力端群１４９，１５０，１５１および１５２は、に接続されて、その入力端群に並列に印加された２値データ語を直列データ語に変換するが、その変換器１５５には制御段１５６が後続して、出力信号を、電気接続線１７を介して赤外線送信機１８に印加する。
制御段１５６は、第１キー２３および第２キー２４によって駆動することができる。制御器１５６が第１キー２３によって駆動されると、変換器１５５で変換された２値データ語には付加的情報が与えられて、図１に示した系１の装置３で処理され、それに応じて発生した２値データ語が、その２値データ語に対応した記録担体保持器８を装置３の前面壁３ａ中のスロット５に対応した相対位置まで運ぶのに利用される。制御段１５６が第２キー２４によって駆動されると、変換器１５５で変換された２値データ語には付加的情報が与えられて、図１に示した系１の装置３で処理され、それに応じて発生した２値データ語が、そのデータ語に対応した記録担体保持器８を装置３の前面壁３ａのスロット５に対応した相対位置まで運ぶのに利用される。制御段１５６が第２キー２４によって駆動されると、変換器１５５で変換された２値データ語には付加的情報が与えられて、それに応じ、装置３内で、変換された２値データ語に対応した記録担体保持器８が演奏器９に対応した相対位置まで動かされる。
図１，４および５に示した遠隔制御器４の挿入子担体検出器５１の動作は、図６を参照して説明しよう。この遠隔制御器４は、図５に示した動作条件にあるものとし、平坦な挿入子担体３４−“０”と３４−“１”とは、移動しない休止位置にあり、図５には挿入子担体３４−“２”のみを示した残余の挿入子担体３４は、すべて、移動した位置にあって、その結果、挿入子担体３４−“１”の導電箔４９−“１”と挿入子担体３４−“２”の導電箔４９−“２”との間には容量結合がないものとする。
図１，４および５に示した間隔制御器４が、例えばキー４８の組中のキーの操作によって可能となるように駆動されるや否や、挿入子担体検出器５１も駆動される。これは、隣接挿入子担体３４−“n+1”を引き離す、すなわち、持ち上げる挿入子担体３４−“ｎ”の番号“ｎ”を決定するための検出過程の第１段階を初期化する。挿入子担体検出器５１の駆動後のこの第１段階中、カウンタ７４の計数値は零（０）になる。したがって、カウンタ７４は、検出過程の第１段階中、その出力端７５，７６，７７および７８に２値データ語“００００”を発生させる。その結果、第１段階中、第２多重器６４の制御入力端７０，７１および７２には２値データ語“００００”が現われ、その結果、第２多重器６４の第１入力端６５が第２多重器６４の出力端６９に接続されることになる。
検出過程の第１段階においては、カウンタ７４の出力端７５，７６，７７および７８に現われる２値データ語“００００”が加算器段８１の入力端８２，８３，８４および８５に印加される。加算器段８１は値（１）を加算し、その結果、２値データ語“００００”が加算器段８１の出力端８６，８７，８８および８９に現われる。その結果として、２値データ語“０００”が、検出過程の第１段階中、第１多重器５２の制御入力端５８，５９および６０に現われることになる。その結果、第１多重器５２の入力端５３が第１多重器５２の第１出力端５４に接続されることになる。
第１段階中、カウンタ７４の出力端７５，７６，７７および７８に現われるディジタルデータ語“００００”は、４重ＮＯＲゲート１３６の４入力端にも印加されて、２値語“００００”がその入力端に印加されたときに、その出力端に立上りエッジ１６７を発生させる。その立上りエッジ１６７は、遅延段１６９に印加されて、その遅延周Ｔ１の後に、予め立下りエッジが遅延段１６９の入力端、したがって、ＮＯＲゲート１３６の出力端に現われていない限り、以下に説明するように、次の検出過程で事実となるように遅延周期Ｔ１の後の遅延立上りエッジ１７６の供給を禁止する。
挿入子担体検出器５１の活性化駆動の結果として、交流電圧発生器６２を形成する方形波発生器も駆動されて、その出力端に、発生した方形波信号６３を供給し、その信号が第１多重器５２の入力端５３と増幅器９９の入力端９８との両方に印加される。方形波信号６３は、第１多重器５２の入力端５３から第１多重器５２の第１出力端５４へと、可撓性導体５０−“０”を介し、その出力端５４から導電箔４９−“０”へ印加される。容量結合により、信号は、この導電箔４９−“０”から導電箔４９−“１”へ、さらに、可撓性導体５０−“１”を介して導電箔４９−“１”から第２多重器６４の第１入力端６５へ、さらに、第２多重器６４の第１入力端６５から第２多重器６４の出力端６９へ伝送される。第２多重器６４の出力端６９からは、方形波信号６３に対応はするが、伝送路の通過の結果として、方形波形からはずれた交流信号１５７が高域通過フィルタ９０に印加される。高域通過フィルタが交流信号１５７を濾波して、濾波出力の交流信号が増幅器９１に印加され、その増幅器９１からパルス成形器段９２に伝送されて、その出力端９３に成形出力の方形波信号９４が現われる。その方形波信号９４は、相関器段９７の第１入力端９６に印加される。交流電圧発生器６２が供給する方形波信号６３に対応した、増幅器９９の出力端１００の方形波信号１０１は、相関器段の第２入力端１０３に印加される。
導電箔４９−“０”との間に存在する容量結合と、方形波信号６３、その結果得られた交流信号１５７および方形波信号９４のその結果の伝送とにより、方形波信号９４は方形波信号１０１と相関している。かかる２方形波信号９４と１０１との相関は、相関器段９７によって決定される。これは、相関器段９７の出力端１０４における平均電位が接地電位にほぼ対応する結果となった。その結果、初期状態でほぼ３／５Ｖ２となる回路点１０６の電位は、接地電位に引き下げられて、キャパシタ１０７が放電させられる。回路点１０６の低下する電位が、比較器１０８の非反転入力端における１／４Ｖ２の基準電気の値に達するや否や、その比較器１０８は、その出力端に、したがって、回路点１１１に、立上りエッジ１５８を供給する。その立上りエッジ１５８は、挿入子担体検出器５１の駆動のほぼ３０ミリ秒後にすでに得られている。その立上りエッジ１５８は、線１１２を介してＮＯＲゲート１１４の入力端１１３に印加される。これは、ＮＯＲゲート１１４の出力端１１５における立上りエッジ１５９を起動し、その立下りエッジが抵抗１１６を介してトランジスタ１１７をオンに転じさせる。その結果として、２個の抵抗１１９および１２０によりほぼ３／５Ｖ２に調整された回路点１１８の電位は、回路点１０６に印加され、キャパシタ１０７を再充電させる。回路点１０６の上昇電位が比較器１０８の非反転入力端における１／４Ｖ２の基準電位を超えるや否や、立下りエッジ１６０が比較器１０８の出力端、したがって回路点１１１に現われる。この立下りエッジ１６０は、例えば、立上りエッジ１５８の約０．３ミリ秒後に現われる。この立下りエッジ１６０も、線１１２を介し、ＮＯゲート１１４の入力端１１３に印加される。その結果、立上りエッジ１６１がＮＯＲゲート１１４の出力端１１５に現われ、そのエッジが抵抗１１６を介してトランジスタ１１７をオンに転じさせるが、その間に、回路点１０６は、すでに、少なくとも、ほぼ３／５Ｖ２の初期電位まで回復している。
立上りエッジ１５８と立下りエッジ１６０とが制御パルス１６２を形成し、その制御パルス１６２が、歩進パルスとしてカウンタ７４の歩進入力端７９に印加される。その結果、カウンタ７４の計数値が（１）だけ歩進、すなわち、増加している。
カウンタ７４の計数値の歩進は、隣接挿入子担体３４−“ｎ＋１”を持ち上げて引離す挿入子担体３４−“ｎ”の番号“ｎ”を決定するための検出過程の第２段階を初期化する。その第２段階においては、カウンタ７４が、その出力端７５，７６，７７および７８に２値データ語“０００１”を発生させる。
その結果、２値データ語“０００１”が４重ＮＯＲゲート１３６に印加され、したがって、４重ＮＯＲゲート１３６の出力端が立下りエッジ１７７により約３０ミリ秒後、すなわち、０．２５秒の遅延時間Ｔ１の経過前に、すでに低電位（ＬＯＷ）に引下げられているので、遅延段１６９は、その出力端にパルス発生器１３７を活性化するための立上りエッジを発生させず、その結果、ラッチパルスは発生しない。したがって表示器４７は、２値データ語“００００”に対応する番号“０”を表示しないことになる。
そのうえに、今度、カウンタ７４の出力端７５，７６，７７および７８に現われる２値データ語“０００１”は、第２段階中、第２多重器６４の制御入力端７０，７１および７２に２値データ語“０００”も現われるのを確実にする。したがって、第２段階においては、第２多重器６４の第１入力端６５は、第２多重器６４の出力端６９に接続されたままになる。
第２段階においてカウンタ７４の出力端７５，７６，７７および７８に現われる２値データ語“０００１”が加算器段８１の入力端８２，８３，８４および８５に印加され、加算器段８１がその２値データ語に値（１）を加算するので、加算器段８１の出力端８６，８７，８８および８９にディジタルデータ語“００１０”が現われる。これが、第２段階中、第１多重器５２の制御入力端５８，５９および６０にディジタルデータ語“００１”を現われさせる。その結果、第１多重器５２の入力端５３は、今度は第１多重器５２の第２出力端５５に接続される。
上述した第１多重器５２および第２多重器６４における接続は、今度は、交流電圧発生器６２によって供給された方形波信号６３がこの第１多重器５２の入力端５３を介して第１多重器５２の第２出力端５５へと可撓性導体５０−“２”を介してその第２出力端から導電箔４９−“２”へ印加されるのを確実にする。
しかしながら、挿入子担体３４−“２”が挿入子担体３４−“１”から引離し、すなわち、持上げて離されているのであるから、２枚の導電箔４９−“１”と４９−“２”との間には容量結合が存在しない。その結果として、導電箔４９−“１”から第２多重器６４の出力端６９へ可撓性導体５０−“１”および第２多重器６４の第１入力端６５を介して信号を伝送するのは不可能となるので、相関器段９７の第１入力端９６は方形波信号を受けない。しかしながら、相関器段９７の第２入力端１０３は方形波信号を受ける。その結果として、非相関信号が相関器段９７の２入力端９６および１０３に現われ、それがこの相関器段９７によって決まる。したがって、相関器段９７は、その出力端１０４にはっきりしない交流信号を発生させ、その平均値が値１／２Ｖ２にほぼ等しくなる。
相関器段９７の出力端１０４に現われる１／２Ｖ２の電位が回路点１０６におけるほぼ３／５Ｖ２の出力電位を１／２Ｖ２の値に下げるので、キャパシ１０７が放電されるが、回路点１０６における１／２Ｖ２の電位が比較器１０８の非反転入力端における１／４Ｖ２の基準電位より高いままであるので、比較器段１０８の出力端にはその影響はない。したがって、表示器４７は、２値データ語“００００”に対応する番号“０”を表示しない。
そのうえに、今度カウンタ７４の出力端７５，７６，７７および７８に現われる２値データ語“０００１”も、第２段階中に２値データ語“０００１”も、第２段階中に２値データ語“０００”も第２多重器６４の制御入力端７０，７１および７２に現われるのを確実にする。したがって、第２段階においては、第２多重器６４の第１入力端６５は第２多重器６４の出力端６９に接続されたままとなる。
第２段階においてカウンタ７４の出力端７５，７６，７７および７８に現われる２値データ語“０００１”が加算器段８１の入力端８２，８３，８４および８５に印加され、加算器段８１がその２値データ語に値（１）を加算するので、ディジタルデータ語“００１０”が加算器段８１の出力端８６，８７，８８および８９に現われる。これは、第２段階の期間中、ディジタルデータ語“００１”を第１多重器５２の制御入力端５８，５９および６０に現われさせる。その結果として、第１多重器５２の入力端５３は、今度は、第１多重器５２の第２出力端５５に接続される。
第１多重器５２および第２多重器６４における上述の接続は、今度は、交流電圧発生器６２が供給する方形波信号６３がその第１多重器５２の入力端５３を介して第１多重器５２の第２出力端５５に、さらに、可撓性導体５０−“２”を介してこの第２出力端から導電箔４９−“２”へ印加されるのを確実にする。
しかしながら、挿入子担体３４−“２”が挿入子担体３４−“１”から引離し、すなわち、持上げて離されているのであるから、２枚の導電箔４９−“１”と４９−“２”との間には容量結合が存在しない。その結果として、導電箔４９−“２”に印加される方形波信号６３は導電箔４９−“１”には伝送されない。したがって、導電箔４９−“１”からの信号を、可撓性導体５０−“１”および第多重器６４の第１入力端６５を介し、第２多重器６４の出力端６９に伝送するのは不可能となるので、相関器段９７の第１入力端９６は方形波信号を受取らない。しかしながら、相関器段９７の第２入力端１０３は方形波信号１０１を受取る。その結果として、非相関信号が非相関器段９７の２入力端９６および１０３に現われ、それは、この相関器段９７によって決定される。したがって、相関器段９７がはっきりしない交流信号をその出力端１０４に発生させ、その平均値は値１／２Ｖ２にほぼ等しくなる。
相関器段９７の出力端１０４に現われる１／２Ｖ２の電位は、回路点１０６における約３／５Ｖ２の出力電位を１／２Ｖ２の値まで減らさせるので、キャパシタ１０７は放電するが、回路点１０６における１／２Ｖ２の電位は比較器１０８の非反転入力端における１／４Ｖ２の基準電位より高いままであるから、比較器段１０８の出力段にはその影響がない。したがって、その場合、制御パルス１６２は生ぜず、その結果、カウンタ７４は歩進しない。それ故に、カウンタ７４は、少なくとも当分の間、２値データ語“０００１”に対応する計数値を留めておくことになる。
相関器段９７の出力端１０４が３０ミリ秒の所定時間周期より長い期間，上述した１／２Ｖ２の電位のままである場合、すなわち、その時間周期に、入力端９６と１０３とに印加される信号の間で相関が発見されない場合には、キャパシタ１２４が抵抗１２２を介して充電され、それにより回路点１０６の電位が上昇する。他の比較器１２５の反転入力端に接続された回路点１２３の上昇電位が他の比較器１２５の非反転入力端における１／４Ｖ２の基準電位を超えるや否や、この他の比較器１２５は、その出力端に立下りエッジ１６３を発生させ、その立下りエッジが他のＸＯＲゲート１３９に線１２８を介して印加され、その結果、他のＸＯＲゲート１３９の出力端１４０に立下りラッチ・エッジ１７８が生じ、その立下りエッジがラッチ１４３のラッチ入力端１４２に印加される。その結果として、第２段階においてカウンタ７４の出力端７５，７６，７７および７８が供給し、ラッチ１４３の入力端１４５，１４６，１４７および１４８に現われる２値データ語“０００１”が一時的にラッチ１４３に蓄積される。
他の比較器１２５の出力端における立下りエッジ１６３も線１２８を介して遅延段１３１に印加され、その結果、立下りエッジ１６４が反転器１３２に印加され、その結果、反転器１３２が立上りエッジ１６５を供給する。その立上りエッジ１６５がカウンタ７４のリセット入力端８０に印加されるので、カウンタ７４は零（０）にリセットされて禁止され、遅延段１３１の存在が、先行計数値“０００１”がラッチ１４３に蓄積されてしまうまで、このカウンタ７４のリセットが行われていることを確実にする。
立上りエッジ１６５は、さらにＮＯゲート１１４の第２入力端１３５に印加され、その結果、出力端１１５に立上りエッジ１６６を発生させて、抵抗１１６を介しトランジスタ１１７をオンに転じ、回路点１０６の電位を約３／５Ｖ２の初期値に回復させる。実際に、回路点１０６の電位の値は、回路点１１８における３／５Ｖ２の電位からトランジスタ１１７のべース−エミッタ電圧を差引いたものに等しくなるが、これは現下の場合無関係である。
現下の場合２値データ語“０００１”により形成され、遠隔制御器４の使用者が蓄積した挿入子担体３４−“１”の番号“１”を表わす、ラッチ１４３に蓄積された２値データ語がラッチ１４３の出力端１４９，１５０，１５１および１５２から表示駆動器１５３の入力端に印加され、表示駆動器１５３が、それに応じ、表示器４７が番号“１”を示すようにしてその表示器４７を駆動する。
ラッチ１４３の出力端１４９，１５０，１５１および１５２からは、番号“１”に対応するデータ語“０００１”も変換器１５５の入力端に印加され、その変換器１５５がそのデータ語に対応する変換出力データ語を、それを緩衝する制御段１５６に供給する。
遠隔制御器４の使用者が第１キー２３を操作した場合には、緩衝変換出力データ語が、例えば、付加的情報に結合し、引続いて、赤外線送信機を介し、図１の系１の装置３に伝送される。その装置３においては、受信したデータを処理して、記録担体保持機８−“１”、すなわち、番号“１”を付した記録担体保持器８が装置３の前面壁３ａにおけるスロット５に対応した相対位置に動かされるようにする。
遠隔制御器４の使用者が第２キー２４を操作した場合には、緩衝変換出力データ語が、例えば、他の付加的情報に結合し、引続き、制御段１５６から、図１に示した系１の装置３に伝送されるべき遠隔制御器４の赤外線送信機１８に伝送される。その装置３においては、受信したデータを処理して、記録担体８−“１”が演奏器９に対応する相対位置に動かされるようにする。
図１における系１の使用者が、例えば挿入子担体３４−“６”を形成する袖に到達し、すなわち、挿入子担体３４−“７”とともに、その他の、より高い番号“８”乃至“Ｎ−１”をもった挿入子担体全部を裏返すことによって挿入子担体３４−“６”から引離してしまうと、検出過程すなわち検出周期の上述した第１段階を全部でさらに５回繰返し、その間カウンタ７４の計数もさらに５回歩進し、番号“６”の検出後に、その番号“６”を表示器４７に表示する。先行番号“０”乃至“５”は表示されない。番号“６”が表示器上に現われるや否や、使用者は、それを、キー２３および２４の操作により系１の装置３に検出した番号を伝送し得るという光学的指示と見做すことができる。
即時に検出した挿入子担体３４の番号“ｎ”がラッチされて表示された後は、カウンタ７４は、つねにリセットされて禁止の状態になるので、２値データ語“００００”が再びカウンタ７４の出力端７５，７６，７７および７８に現われる。その結果として、２値データ語“０００”および“０００”が再び第１多重器５２の制御入力端５８，５９および６０並びに第２多重器６４の制御入力端７０，７１および７２に現われ、結局、交流電圧発生器６２が供給した方形波信号６３が導電箔４９＝“０”から導電箔４９−“１”に伝送されるので、相互に相関した２方形波信号９４と１０１とが相関器段９７の第１入力段９６と第２入力段１０３とに再び現われる。したがって、低い電位、すなわち、実質的接地電位が相関器段９７の出力端１０４に現われる。その結果として、予め充電されたキャパシタ１２４が再び放電される。回路点１２３の電位が他の比較キャパシタンス１２５の非反転入力端における１／４Ｖ２の基準電位を超えるや否や、出力端が立上りエッジ１７９により高電位（High）に切替わる。その立上りエッジ１７９は、ＸＯＲゲート１３９の第２入力端１４４に印加されるが、それはラッチ１４３のラッチ機能には影響しない。しかしながら、立上りエッジ１７９は遅延段１３１にも印加されて遅延出力の立上りエッジ１８０を供給し、その遅延立上りエッジが反転器１３２に印加される。その結果、反転器１３２は立上りエッジ１８１を供給して、カウンタ７４の計数過程をエネーブルにし、ＮＯＲゲート１１４の第２入力端１３５にも印加されて、トランジスタ１１７をオフに転じさせる。今度は、新たな検出用周期を開始することができる。
以上の説明から明らかなように、図１に示した本発明による系１は、系１の装置３における所定の挿入子担体８を、その選択には遠隔制御器４中で挿入子担体３４の本のようなカタログのページをめくるのが必要なだけであるから、特に簡単に選択し得るようにする。ここで、挿入子担体３４は、それぞれ記録担体３４に組合わせた１枚の挿入子２５を含んだ袖によって形成されている。各挿入子２５に対する可視情報の援けにより、所望の挿入子２５、したがって、その挿入子２５に組合わせた記録担体２の発見は極めて容易となる。所望の挿入子２５が一旦見付かると、すなわち、所望の挿入子２５の上に位置する挿入子２５を入れた袖全部が一旦裏返されると、このようにして選択した袖の番号すなわち符号は、挿入子担体検出器５によって全く自動的に決定され、キーの操作により系１の装置３に伝送される。装置３においては、選択された挿入子２５およびその挿入子２５を含んだ袖に対応する記録担体保持器８およびその中の記録担体２は、装置３の負荷用スロット５に対応する相対位置もしくは装置３の表示装置９に対応する相対位置に動かされる。
１枚の挿入子のみを保持するように構成するかわりに、袖は、例えば、２枚の挿入子を、装置内で２個の記録担体保持器に組合わせて保持するのにも適応させ得ることに留意すべきである。選択した袖の番号の検出後には、その目的で遠隔制御器に設けた２個のキーの一方の操作により、関連した袖の中のその一方の挿入子に組合わせた記録担体保持器もしくは関連した袖の中の他方の挿入子に組合わせた記録担体保持器のいずれかを自動的に選ぶことが可能になる。明らかに、上述した実施例の変形として、１枚の袖は、２個以上、例えば３個もしくは４個の挿入子を含むことができ、その場合、１枚の袖は、装置内で３個もしくは４個の記録担体保持器に組合わされる。１枚の袖に１個以上の挿入子を収容することは、重畳する袖の枚数、したがって、遠隔制御器の厚さを減らし得る、という利点がある。上述した説明用実施例では、平坦な挿入子担体３４および記録担体８を番号“０”乃至“Ｎ−１”で符号化するが、明らかに、番号“１”乃至“Ｎ”を割当て、もしくは、挿入子担体３４に対する番号の割当てを逆にすることが可能であり、それにより、番号“１”乃至“Ｎ”もしくは“０”乃至“Ｎ−１”が頂点から底までに割当てられる。例えば、割当てられた符号に従って挿入子担体３４に印をつけることにより、使用者に明白な態様で符号を挿入子担体３４に割当てることができるが、望むらなば、使用者が必ずしも関連した符号を知る必要のない場合には、この印付けを隠すこともできる。
図７は、第２実施例における遠隔制御器４を模式的に示すものである。図７に示した遠隔制御器４は、上面壁１７１に一組のキー群１７２を載せた本質的に方形の容器１７０を備えている。その組のキー群１７２も、組合わせた挿入子２５用に検出した挿入子担体３４−“ｎ”の番号“ｎ”の遠隔制御器４から制御されるべき装置への伝送を開始するために含んだ２個のキー２３および２４を含んでいる。
図７に示した遠隔制御器４も、順次に異なる符号、すなわち順次に異なる番号を割当てた平坦な挿入子担体３４の組３４を備えている。現下の場合、挿入子担体３４も“０”，“１”，“２”乃至“ｎ−１”，“ｎ”，“ｎ＋１”と最後に“Ｎ−１”をもっている。現下の場合、平坦な担体３４は、平坦な覆いからなり、その覆いは遠隔制御器４の前面壁１７４における開口１７３の位置で、遠隔制御器４から引き出し、もしくは、そこに滑り込ませることができる。しかしながら、平坦な挿入子担体３４を形成する覆いは、全体を遠隔制御器４から引出し得ず、図８に示すように、深さ方向の寸法の約３／４に対応する距離だけ引き出し得るに過ぎず、図８は、矢印１７５の方向に遠隔制御器４から引出した番号“ｎ”を有する挿入子担体３４“ｎ”および遠隔制御器４内に残っている番号４ｎ”を有する挿入子担体３４−“ｎ−１”を模式的に示したいる。
図７に示した遠隔制御器４においては、平坦な挿入子担体３４を形成する各覆いは、図８に箔４９−“ｎ”および４９−“ｎ−１”について示すように、挿入子担体３４の全領域を覆って延在する導電箔４９を備えている。遠隔制御器４内に納まったままの隣接２挿入子担体３４上の２枚の箔４９相互間には比較的強い容量結合が存在しているので、かかる２枚の箔４９が形成するキャパシタは、比較的高いキャパシタンスを有している。反対に、一方は遠隔制御器４内に納まったままであり、他方は遠隔制御器４から引出されている２枚の挿入子担体３４の２枚の箔４９相互間には比較的弱い容量結合しか存在しないので、かかる２枚の箔４９が形成するキャパシタは、比較的低いキャパシタンスしか有していない。
図７に示した遠隔制御器４は、この遠隔制御器４においては、隣接２導電箔４９の相互間に、隣接２挿入子担体３４相互の相対位置に応じて異なるキャパシタンスが生ずる、という事実を利用しており、したがって、この遠隔制御器４は、挿入子担体検出器として、隣接２箔間の即時の容量値を測定し得る容量測定器を備えている。この容量測定器が隣接２箔４９相互間にの小さいキャパシタンスを測定した場合には、関連した挿入子担体３４の番号がそれから描き出される。
本発明は、光学的に走査し得る円板形状記録担体と使用するための装置および遠隔制御器を備えた系に基づいて以上に説明して来た。しかしながら、本発明は、他の記録担体と使用するための系、例えば、磁気テープカセットと使用する系、磁気走査する円板形状記録担体と使用する系もしくはそれぞれ集積した固体メモリを含むカード形状記録担体と使用する系とともに採用することもできる。そのうえに、本発明は、上述した説明溶実施例以外の構成の装置を含んだ系とともに採用することもできる。例えば、光学的に走査する円板形状記録担体と使用するかかる装置は、二者択一的に多数の記録担体を、各円板形状記録担体を覆い型円板保持器に手で挿入し得るようにして、装置内に積み上げ状に積み重ねるようにして構成することもできる。
本発明による制御器の構成については、上述した説明用実施例における制御器から外れた他の可能性が存在する。例えば、遠隔制御器の形の制御器が二者択一的に卓上型カレンダのように構成され、その場合、卓上型遠隔制御器内の平坦な挿入子担体が卓上型カレンダの所定日付と同様にして上向きにされる。さらに、制御器は、カード見出し容器と同様に構成することができ、その場合、例えば１個の挿入子用の平坦な挿入子担体が容器内で互いに垂直に配置され、各平坦挿入子担体を容器から引き出すことができ、平坦挿入子担体に取付けた各箔を、可撓性箔を介して、例えば容器の底に位置する挿入子担体検出器に接続することができる。制御器は、二者択一的に、本状のカバーの形をとることができ、その本状カバーは、カバーの底の内側で、挿入子を保持するための袖に、その袖がカバーの底の高さ方向に互いに少しずつずれて、横方向の側面の位置でそれぞれカバーの底に接続れるようにして接続されており、その横方向の側面も、普通の卓上型写真アルバムから判るように、高さ方向に相互にずれている。
そのうえに、かかる制御器は、必ずしも遠隔制御器として設ける必要はなく、装置上に直接に配置した制御器によって形成することもできる。制御器の挿入子担体検出器も、マイクロコンピュータによって有利な態様に構成することができる。さらに、検出した番号の遠隔制御器から装置への伝送もその番号の検出によって自動的に開始させることができ、その場合、遠隔制御器上の少なくとも１個の駆動キーをなしで済ますことができる。遠隔制御器も、二者択一的に、接続ケーブルを介して、本発明による系の装置に接続することができる。
図９は、提示装置としてメニュー発注器１７６と、遠隔制御器として図１乃至６に示した系１の遠隔制御器４とほぼ同じ構成の遠隔制御器とを備えた系１を模式的に示すものである。
このメニュー発注器１７６を用いれば、レストランや同様の事業で利用可能であって選択可能項目を形成する所定個数の種々のメニューの中から一つのメニューを選択して発注することができる。図９に模式的に示すように、メニューの名称、メニューの簡単な説明、メニューの画像等を示した挿入子２５をそれぞれ挿入子担体３４に含んだ遠隔制御器４によれば、図１乃至６による系１におけると同様にして、メニュー発注器１７６におけるメニューを選択可能項目として選択することができる。その目的で、挿入子担体５１は、組合わせた挿入子２５−“ｎ”が可視である挿入子担体３４−“ｎ”の番号“ｎ”を決定して、その番号をメニュー発注器１７６への簡単な伝送に適した形に変換するための手段１６にその番号“ｎ”を伝送する。図９に一点鎖線矢印１７７で指示するように、赤外線送信機１８が赤外線信号をメニュー発注器１７６の赤外線受信機１９に伝送する。メニュー発注器１７６の赤外線受信機１９が受信した信号は、電気的接続線２１を介し、受信信号を処理して検出した番号“ｎ”を表わす形に再変換するための手段２１に印加される。その手段２１は、受信した番号に対応する制御情報を、多線電気的接続線２２を介し、制御器１７８に供給する。現下の場合、制御器１７８は、多線電気的接続線１７９を介し、プリンタ１８０に制御情報を供給する。所望のメニューによる発注用紙１８１は、プリンタ１８０によって印刷され、メニュー発注器１７６によって出力される。その発注用紙１８１は、書つけとしての役もする。
上述した遠隔制御器４の一つは、レストランの各テーブル上に設けられ、メニュー発注器１７６を選択して制御する。遠隔制御器４による選択の後にメニュー発注器１７６から発行され、プリンタ１８０によってテーブル番号を表示された発注用紙１８１は、例えば、レストランの料理場に自動的に伝送され、その後に、所望のメニューが、そのメニューが発注された関連のあるテーブルに用意されて給仕されるが、発注用紙１８１も、書きつけとして、そのテーブル上に同時に置かれる。
図１０は、提示装置として電話番号出力器１８２を備えた他の系１を模式的に示したものであり、その電話番号出力器１８２においては、選択可能項目を形成する所定個数の種々異なる電話番号の中の一つの電話番号が選択されて出力される。その目的で、電話番号出力器１８２は、多線電気的接続線１８４を介して制御され、図１乃至６に示したような系１の遠隔制御器と同じ構成の遠隔制御器４の授けのもとに選択された所望の電話番号が、図９に示すように多線電気的接続線１８６を介して電話番号ダイアル器１８７に印加される固体メモリ１８５を備えている。電話番号ダイアル器１８５は、所望の電話番号を表わすダイアル信号を線１８８を介して電話番号出力器１８２の出力端１８９に供給し、そのダイアル信号が所望の電話番号を自動的にダイアルするための電話回線網に印加される。
図１０に示す系においては、遠隔制御器４の各平坦挿入子担体３４が、例えば電話加入者の名前および図１０に模式的に示すような電話加入者の画像を示す挿入子２５を含んでいる。所望の挿入子２５が見出された後に、図１０に示すような系１がその挿入子２５上に示された電話加入者の電話番号を自動的にダイアルすることができる。しかしながら、電話番号出力器は、選択可能項目を形成する電話番号を表示し、その後にその電話番号を手でダイアルし得るようにする表示器を備えるように構成することもできるので、自動ダイアルは必要ではない。
留意すべきこととして、本発明による系は、その系が提示装置として販売装置を備えているようにして構成することもでき、その販売装置においては、選択可能項目を形成する、売るべき所定個数の種々の品物の中の一つの品物を選択することができ、売るべき品物を選択するための系が、基本的には図１乃至６並びに図９および１０に示した系１の遠隔制御器４の構成に対応する構成の遠隔制御器を備え、各挿入子担体が売るべき品物およびその価格を示している。
他の遠隔制御器４は、図１１乃至１３を参照して説明するが、その遠隔制御器は、図４に示した遠隔制御器４の構成に似た構成のものであり、すなわち、図１１に示すように、その遠隔制御器４が、平坦挿入担体３４の組３３を備えるとともに、その挿入子担体３４のよく整った配置のために下側部３６、背面部３７および上側部３８を備えた、本のカバーに似たカバー３５を備えるようにする。
現下の場合には、各平坦挿入子担体３４は、透明な電気的絶縁材料の袖によって形成されている。挿入子２５は、袖が透明であるから、各袖に挿入しても見ることができる。袖の形の各挿入子担体３４は、背面部３７に面した欄外領域４１に、図１１および１２には示してない穴を有しており、その穴を、硬い棒１９０から下側部３６の方向に突出し、図示しない固定用ねじが下側部３６を通してはまっている、内部にねじを切った袖が横切っている。このようにして挿入子担体３４が下側部３６と棒１９０との間に固定される。留意すべきこととして、背面部３６に面した挿入子担体３４の欄外領域４１には、図１２に部分的に示したギザギザ接触装置１９１が配置されており、それについては以下に詳細に述べる。
そのうえに、留意すべきこととして、図１１に示した遠隔制御器４においては、本様カバー３５の下側部３６も、キーボードを設け、遠隔制御器４の電気回路を収容した容器４５を載せた横延長部４４を備えている。他の変形においては、明白により平坦な容器がキーボードのみを収容することかでき、電気回路は、挿入子担体の背面欄外領域に隣接した保持器内に配置されている。
図１１乃至１３に示す遠隔制御器４は、図４乃至６に示した遠隔制御器４と同様に、所定個数Ｎの記録担体、すなわち、ＣＤを負荷し得る交換機が形成する提示装置を制御する役をする。その目的で、かかる装置は、それぞれに数値符号を割当てたＮ個の記録担体保持器を備えている。その記録担体保持器は数字“０”，“１”，“２”，“３”乃至“ｎ”および最後に“Ｎ−１”を付してある。
図１１乃至１３に示してない装置の選択可能項目として選択し得るＮ個の記録担体保持器により、図１１乃至１３に示した遠隔制御器４の平坦挿入子担体３４の組３３は、記録担体保持器の個数Ｎに比例した個数Ｎの挿入子担体３４を備えており、各挿入子担体３４は記録担体保持器に組合わされる。現下の場合には、挿入子担体３４の個数Ｎが記録担体保持器の個数に対応している。しかしながら、これは必要ではない。例えば、Ｎ個の記録担体保持器の場合には、Ｎ／２個の挿入子担体３４だけを用意すればよく、その場合、各挿入子担体３４は２個の挿入子２５を保持するのに適合し、導電材料の隣接２トラックを備えている。図１１乃至１３に示した遠隔制御器４の挿入子担体３４に割当てた数字符号は、制御すべき装置の記録担体保持器に割当てたものと同じ、すなわち数字“０”，“１”乃至“Ｎ−１”であり、その理由で、図１１の挿入子担体３４は、基準の数字３４−“０”，３４−“１”乃至３４−“ｎ”および最後の３４−“Ｎ−１”をもっている。かかる数字は、装置の記録担体保持器および同じ系列の遠隔制御器４の挿入子担体３４に割当てる必要はなく、他の割当ても可能である。
図１１および１２から明らかなように、遠隔制御器４内の各挿入子担体３４は、導電材料の隣接２トラック１９３および１９４の対１９２を備えている。導電トラック１９３および１９４は、関連した他方のトラックに向けて相互にからみ合った横方向のトラック拡張部をもっている。隣接２トラック１９３および１９４は、隣接した、すなわち、重なり合った挿入子担体３４が動かされた方向の挿入子担体３４上の対１９２の隣接２トラック１９３および１９４が、少なくとも１本の指で触れることにより、その少なくとも１本の指の表皮抵抗を介して電気的に相互接続し得る交互間の距離に配置されている。トラック１９３および１９４は、横方向のトラック拡張部ともども、例えば導電性ラッカの層からなるが、二者択一的に、接合した錫箔、堆積した銅層もしくは導電性合成材料の堆積層によって形成することができる。トラック１９３および１９４は、その都度、挿入子担体３４の上側に位置している。トラック１９３は、接触点１９５に接続され、トラック１９４は接触点１９６に接続されており、かかる接触点は、挿入子担体３４の上側から下側に通して鍍金されている。
図１３に示す挿入子担体検出器５１へのトラック１９３および１９４の電気的接続については、遠隔制御器４は、図１２に部分的に示したギザギザ接触装置１９１を備えている。その接触装置１９１は、基本的には、ギザギザ形に折り曲げた担体箔１９７からなっている。その担体箔１９７は、接触部１９９および２００の対１９８を載せている。接触部１９９および２００は、導電性接続線２０１および２０２を介して挿入子担体検出器５１に接続されている。接触部１９９および２００は、導電性接続線２０１および２０２ともども、例えば導電性ラッカの層で形成されているが、二者択一的に堆積銅層もしくは導電性合成材料の堆積層によって形成することができる。強調されることとして、図１２に示した接触部１９９および２００並びに導電性接続線２０１および２０２の配置は、模式的に過ぎない。実際の電気的配置は、図１３に示され、その図を参照して以下に詳細に説明する。
図１２から明らかなように、ねじにより底壁３６に固定し得る棒１９０によってギザギザ接触配置１９１を順次に抑えつけたときに、接触部１９５，１９６と接触部１９９，２００との間の電気的接触を得るためには、ギザギザ接触配置１９１のひだ２０４中に、矢印２０３が示す方向に、挿入子担体３４を挿入すべきである。以下に、図１１乃至１３に示した遠隔制御器４の接触配置１９１および挿入子担体検出器５１の電気的構成を、詳細に、図１３を参照して説明する。
当分の間、図１１乃至１３に示したような遠隔制御器４は、全部で３０枚の挿入子担体３４を備えており、したがって、番号“Ｎ−１”は“２９”であることを忘れないようにすべきである。しかしながら、他の個数の挿入子担体、例えば６０個もしくは１００個の挿入子担体とすることも可能である。遠隔制御器４は、３０個の挿入子担体３４に合わせて、全部で３０個の接触部１９５、３０個の接触部１９６、３０個の接触部１９９および３０個の接触部２００を備えている。
図１３から明らかなように、遠隔制御器４内の３０個の接触部１９９および３０個の接触部２００は、それぞれ、５個の接触部の６群を備えている。かかる６群のうち、図１３は、それぞれ基準番号２０５，２０６，２０７および２０８，２０９，２１０をもった３群をその都度示している。個々の群２０５，２０６，２０７等の接触部１９９は、電気的に相互接続されている。かかる群２０５，２０６，２０７等は、それぞれ、線２１１，２１２，２１３，２１４，２１５および２１６を介して挿入子担体検出器５１の第１切換器２１７の入力端Ｙ０，Ｙ１，Ｙ２，Ｙ３，Ｙ４およびＹ５に接続されている。群２０８，２０９，２１０等の接触部２００は、曲がりくねった風に相互接続され、すなわち、接触部２００−“０”，２００−“９”，２００−“１０”等、接触部２００−“１”，２００−“８”，２００−“１１”等、接触部２００−“２”，２００−“７”，２００−“１２”等、接触部２００−“３”，２００−“６”，２００−“１３”等および接触部２００−“４”，２００−“５”，２００−“１４”等が相互接続されている。そのうえに、接触部２００−“４”，２００−“３”，２００−“２”，２００−“１”および２００−“０”は、それそれ、線２０８，２０９，２２０，２２１および２２２を介して、挿入子担体検出器５１の第２切換器２２３の入力端Ｙ０，Ｙ１，Ｙ２，Ｙ３およびＹ４に接続されている。留意すべきこととして、実際には、図１２に模式的に示した電気的接続線２０１は線２１１で形成されている。同様に、接続線２０２は線２２０で形成されている。
挿入子担体検出器５１は、マイクロコンピュータ２２４を含んでいる。そのマイクロコンピュータ２２４の３制御出力端２２５，２２６および２２７は、３線２２８，２２９および２３０を介して、第１切換器２１７の３個の制御入力端Ａ０，Ａ１およびＡ２に接続されている。エネーブル入力端と呼ばれる、第１切換器２１７の第４制御入力端Ｅｎは、接地に接続されている。マイクロコンピュータ２２４の４個の他の制御出力端２３１，２３２，２３３および２３４は、４線２３５，２３６，２３７および２３８を介して、第２切換器２２３の４個の制御入力端Ａ０，Ａ１，Ａ２およびＥｎに接続されている。マイクロコンピュータ２２４は、例えば、型名ＴＭＰ４７Ｃ４２２のもとに市販されている集積器によって形成されている。２個の制御可能切換器２１７および２２３は、それぞれ、例えば、型名ＨＥＦ４０５１Ｂのもとに市販されている集積機によって形成されている。
マイクロコンピュータ２２４は、その都度第１切換機２１７の入力端Ｙ０，Ｙ１，Ｙ２，Ｙ３，Ｙ４およびＹ５の一つが第１切換機２１７の出力端Ｚに接続されるとともに、その都度第２切換機２２３の入力端Ｙ０，Ｙ１，Ｙ２，Ｙ３およびＹ４の一つが第２切換器２２３の出力端Ｚに接続されるようにした制御情報を制御出力端２２５，２２６，２２７に制御出力端２３１，２３２，２３４ともども発生させることができる。マイクロコンピュータ２２４から第１切換器２１７および第２切換器２２３への制御情報の供給は、つぎのようにして、周期的に繰返し行われ、まず、最初の検出周期において、第１切換器２１７の入力端Ｙ０が第１入力端２１７の出力端Ｚに接続され、つぎに、第２切換器２２３の入力端Ｙ４，Ｙ３，Ｙ２，Ｙ１およびＹ０が順次に第２切換器２２３の出力端Ｚに接続され、その後に、第１切換器２１７の入力端Ｙ１が第１切換器２１７の出力端Ｚに接続され、つぎに、再び、第２切換器２２３の入力端Ｙ４，Ｙ３，Ｙ２，Ｙ１およびＹ０が順次に第２切換器２２３の出力端Ｚに接続され、その後に、第１切換器２１７の入力端Ｙ２が第１切換器２１７の出力端Ｚに接続され、つぎに、再び、第２切換器２２３の入力端Ｙ４，Ｙ３，Ｙ２，Ｙ１およびＹ０が順次に第２切換器２２３の出力端Ｚに接続され、最後に、かかる過程に後続して、第１切換器２１７の入力端Ｙ３，Ｙ４およびＹ５の第１切換器２１７の出力端Ｚへの接続、引続き、第２切換器２２３の入力端Ｙ４，Ｙ３，Ｙ２，Ｙ１およびＹ０の第２切換器２２３の出力端Ｚへの順次の接続が行われ、その後に、引続く検出周期が開始されて、第１切換器２１７の入力端Ｙ０が第１切換器２１７の出力端Ｚに接続され、つぎに、第２切換器２２３の入力端Ｙ４，Ｙ３，Ｙ２，Ｙ１およびＹ０が、順次に、第２切換器２２３の出力端Ｚに接続される。
上述したように第１切換器２１７および第２切換器２２３により周期的に繰返される切換えの結果として、隣接２トラック１９３および１９４の対１９２が、すべて、連続的に引続く検出周期において、２切換器２１７および２２３の出力端Ｚに接続された、挿入子担体検出器５１の回路２４１の２入力端２３９および２４０に接続され得る。各対１９２のうち、トラック１９３は、ついで、第１切換器２１７を介して回路２４１の第１入力端２３９に接続され、トラック１９４は、第２切換器２２３を介して回路２４１の第２入力端２４０に接続されるので、対１９２の２トラック１９３と１９４との間に存在する抵抗は、２入力端２３９および２４０に接続される。
現下の場合、挿入子担体検出器５１は、挿入子担体３４上の対１９２の隣接２トラック１９３と１９４との間の抵抗の存在の検出に適応し、その現下の検出結果に基づき、相互に相対的に動いた２個の挿入子担体のうち、組合わせた挿入子２５が２挿入子担体相互の相対的動きの結果として知覚可能になる挿入子担体３４を検出する。挿入子担体３４上の対１９２の隣接２トラック相互間の抵抗の存在を検出するために、挿入子担体検出器５１は、上述した回路２４１を備えている。
回路２４１は、マイクロコンピュータ２２４の他の制御出力端２４４に接続されたベース２４３を有するトランジスタによって形成される他の制御可能の切換器２４２を含んでいる。その制御出力端２４４を介して、マイクロコンピュータ２２４は、制御可能の切換器２４２を導通状態と非導通すなわちオフの状態にセットすることができる。その制御可能切換器２４２に直列に配置したキャパシタ２４５は、回路２４１の第１入力端２３９に接続した第１端子および第２入力端２４０に接続した第２端子２４７を有している。マイクロコンピュータ２２４が、時点Ｔ１において、制御可能切換器２４２を導通状態にセットすると、キャパシタ２４５が急速に充電される。引続いて、マイクロコンピュータ２２４が、時点Ｔ２において、制御可能切換器２４２を非導通状態にセットするとともに、時点Ｔ２の少し前に、マイクロコンピュータ２２４が２個の切換器２１７および２２３を制御して隣接トラック１９３および１９４の対１９２が回路２４１の２入力端２３９および２４０に接続されるようにすると、キャパシタ２４５は、２トラック１９３と１９４との間の抵抗を介した放電過程で放電することができ、その抵抗は、対の２トラック１９３および１９４に少なくとも１本の指で触れた場合に、少なくとも１本の指の表皮抵抗によって形成される。
キャパシタ２４５の端子２４６および２４７は、上述した放電過程の期間中に所定の放電電圧に達したことの検出を可能にする電圧レベル検出器２４８に接続されている。その電圧レベル検出器２４８は、型名ＨＣＵ０４のもとに市販されている集積器によって形成することができる。電圧レベル検出器２４８が所定放電電圧に達したことを検出すると、その電圧レベル検出器２４８は、検出情報を時点Ｔ３において、線２４９を介し、マイクロコンピュータ２２４の入力端２５０に印加する。時点Ｔ３は、時点Ｔ２の時間間隔ΔＴ後におこるが、その時間間隔ΔＴは、周知の態様で、キャパシタ２４５が放電する抵抗の値によって決まる。
マイクロコンピュータ２２４が、制御出力端２４４を介して、他の切換器２４２のオンおよびオフに転ずるのを制御するので、他の切換器２４２がオフに転ずる時点Ｔ２もマイクロコンピュータ２２４で判るが、その時点Ｔ２はキャパシタ２４５か放電し始める時点である。入力端２５０を介して、マイクロコンピュータ２２４も、所定の放電電圧に達した時点Ｔ３を知らされる。簡単な時間測定により、キャパシタ２４５が放電し始める時点Ｔ２と所定の放電電圧に達する時点Ｔ３との間の時間間隔、すなわち時間間隔ΔＴを、マイクロコンピュータ２２４によって実現される時間測定段の援けのもとに、マイクロコンピュータ２２４が決定する。このようにして測定した時間間隔ΔＴから、挿入子担体３４上の対１９２の隣接２トラック１９３と１９４との間の抵抗の値としたがって存在とをマイクロコンピュータ２２４が決定する。その検出結果、すなわち、かかる抵抗の測定値に基づき、相互に相対的に動いた隣接２挿入子担体３４のうち、組合わせた挿入子２５が、隣接２挿入子担体相互の相対的動きの結果として可視となる挿入子担体３４をマイクロコンピュータ２２４が決定する。
挿入子担体３４上の対１９２の隣接２トラック１９３と１９４との間の抵抗の値を検出するために、図１３に示す挿入子担体検出器５１内のマイクロコンピュータ２２４が、上述した検出周期の第１検出動作において、隣接２トラック１９３と１９４との間の抵抗の値を測定し、さらに、引続く検出周期の第２検出動作において、隣接２トラック１９３と１９４との間の抵抗の値を再び決定し、その後に、２検出動作で検出した抵抗値間の差を決定し、さらに、このようにして決定した差に基づき、相対的に動いた隣接２挿入子担体３４のうち、組合わせた挿入子２５が隣接２相対子担体３４相互の相対的動きの結果として知覚可能になった挿入子担体３４を検出する。
図１１乃至１３に示した遠隔制御器４のすでに述べた動作において、隣接２トラック１９３および１９４の対は、各対１９２の隣接２トラック１９３と１９４との間の抵抗を決定するための連続的に引続く検出周期において回路２４１の入力端２３９および２４０に接続される。したがって、現下の場合には、挿入子担体３４の個数に合わせて、検出周期毎に、３０個の抵抗値が決定される。挿入子担体３４内の挿入子担体２５をめくって通覧する間に、遠隔制御器４の使用者がトラック１４３および１９４の対１９２のいずれかに指で触れない限り、挿入子担体検出器５１は、極めて高い抵抗値、理論的には無限に高い抵抗値さえも決定して蓄えることになる。遠隔制御器４の使用者が所望の挿入子２５を引続いて発見し、その所望挿入子を載せた挿入子担体３４上に設けたトラック１９３および１９４に例えば指で触れたときには、かかる隣接２トラック１９３と１９４との間の抵抗は、その指の表皮抵抗で決まる。実際に、その表皮抵抗は、約１００ｋΩと約１００ＭΩとの間の値を有する。次の検出周期において、使用者の指によって相互に接続された対１９２のトラック１９３および１９４が、マイクロコンピュータ２２４により、２個の切換器２１７および２２３を介して回路２４１の入力端２３９および２４０に接続され、その結果として、マイクロコンピュータ２２４が、先行検出周期で決定されて蓄えられた抵抗値と比較して減少している抵抗値を決定するや否や、マイクロコンピュータ２２４は、トラック１９３および１９４のいずれの対１９２が、したがって、いずれの挿入子担体３４が巻き込まれているかを、そのマイクロコンピュータは、トラック１９３および１９４のいずれの対１９２を回路２４１の入力端２３９および２４０に丁度接続したかを知っているが故に検出する。ついで、マイクロコンピュータ２２４は、検出した挿入子担体３４に対応する番号“ｎ”を蓄積する。先行検出周期で検出した挿入子担体３４のトラック１９３および１９４が回路２４１に接続される次の検出周期において、マイクロコンピュータ２２４が、再び、前述の予め決定した減少抵抗値、もしくは、その予め決定した減少抵抗値からわずかだけずれた減少抵抗値を検出した場合に、順次の検出周期で決定した減少抵抗値相互間の差が所定の選択した閾値より小さく、検出した挿入子担体３４の予め蓄積した番号“ｎ”が、最終検出結果と見做され、マイクロコンピュータ２２４に蓄積される。この検出結果は二つの抵抗値間の差の決定に基づいているので、その検出結果が絶対抵抗値には無関係であるのは好都合である。
ついで、マイクロコンピュータ２２４は、検出した挿入子担体３４の蓄積した番号“ｎ”による制御情報を発生させ、その制御情報をトランジスタ２５２にマイクロコンピュータ２２４の出力端２５１を介して印加し、そのトランジスタが、印加された制御情報に従って赤外線発生ダイオード２５３を駆動し、それによって、検出した挿入子担体３４の検出して蓄積した番号“ｎ”に対応する情報を交換機として構成した、図１１乃至１３に示した遠隔制御器４により制御可能の装置に伝送する。その後に、挿入子担体３４の検出した番号“ｎ”に対応する記録担体保持器を、その装置内の所定の動作位置に運び、その後に、その記録担体保持器に収容した記録担体、すなわち、ＣＤを、例えば、関連したＣＤを演奏するために演奏位置に運ぶ。
【図１】
0003836142.tif 000002
【図２】
0003836142.tif 000003
【図３】
0003836142.tif 000004
【図４】
0003836142.tif 000005
【図５】
0003836142.tif 000006
【図６】
0003836142.tif 000007
【図７】
0003836142.tif 000008
【図８】
0003836142.tif 000009
【図９】
0003836142.tif 000010
【図１０】
0003836142.tif 000011
【図１１】
0003836142.tif 000012
【図１２】
0003836142.tif 000013
【図１３】
0003836142.tif 000014